(57)【特許請求の範囲】
【請求項１】
各々が物品に添設され又は物品に組み込まれて一体化され、非接触で情報を授受し、前記情報を内蔵する記憶手段に再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理するリスト編成管理手段及び、有線または無線の回線を介して情報を授受可能な交信管理手段及び、オンラインモード作動指示を発行するオンラインモード作動指示手段を備える端末装置と、
情報の記録手段を有し、前記端末装置と前記回線を介して情報を授受可能に構成され、前記端末装置を介した前記各情報タグとの情報授受により前記各情報タグが記録する情報を得て、前記記録手段へ記録する集中ファイル部と、
を備え、
前記端末装置と前記集中ファイル部が前記回線で接続された状態を前記オンラインモード、それ以外の状態をオフラインモードとして、前記オンラインモードは、前記オンラインモード作動指示で開始され、
前記端末装置は前記各情報タグへの情報の記録または再生を、前記両モードにおける所望の任意の時期に常時実行可能であり、且つ前記情報タグへ情報の更新記録または新規記録を施した際に、前記リスト編成管理手段が当該情報タグを特定する前記一覧リストを編成し、
前記オンラインモード作動指示手段が、自ら発生させる指示或いは外部から入力された指示に基づき前記オンラインモード作動指示を発行し前記オンラインモードを開始させ、
前記オンラインモードにおいて前記リーダライタ部は、前記一覧リストに載った情報タグのみを対象とし、該当する各情報タグから更新記録された情報または新規記録された情報のみを読出し、
前記交信管理手段が前記回線経由で前記情報を前記集中ファイル部へ送付し、
前記集中ファイル部が前記記録手段へ記録する、
構成としたことを特徴とする情報管理システム。
【請求項２】
各々が物品に添設され又は物品に組み込まれて一体化され、非接触で情報を授受し、前記情報を内蔵する記憶手段に再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理するリスト編成管理手段及び、有線または無線の回線を介して情報を授受可能な交信管理手段及び、付与されたオンラインモード作動指示を処理するモード指示処理手段を備える端末装置と、
情報の記録手段と、オンラインモード作動指示を発行し前記端末装置へ付与可能な指示付与手段を有し、前記端末装置と前記回線を介して情報を授受可能に構成され、前記端末装置を介した前記各情報タグとの情報授受により前記各情報タグが記録する情報を得て、前記記録手段へ記録する集中ファイル部と、
を備え、
前記端末装置と前記集中ファイル部が前記回線で接続された状態を前記オンラインモード、それ以外の状態をオフラインモードとして、前記オンラインモードは、前記指示付与手段が発行する前記オンラインモード作動指示で開始され、
前記端末装置は前記各情報タグへの情報の記録または再生を、前記両モードにおける所望の任意の時期に常時実行可能であり、且つ前記情報タグへ情報の更新記録または新規記録を施した際に、前記リスト編成管理手段が当該情報タグを特定する前記一覧リストを編成し、
前記集中ファイル部の前記指示付与手段が、自ら発生させる指示或いは外部から入力された指示に基づき前記オンラインモード作動指示を発行し、前記回線を駆動することにより前記端末装置へ付与して、前記端末装置を前記オンラインモードで作動させ、
前記オンラインモードにおいて前記リーダライタ部は、前記一覧リストに載った情報タグのみを対象とし、該当する各情報タグから更新記録された情報または新規記録された情報のみを読出し、
前記交信管理手段が前記回線経由で前記情報を前記集中ファイル部へ送付し、
前記集中ファイル部が前記記録手段へ集中記録する、
構成としたことを特徴とする情報管理システム。
【請求項３】
各々が物品に添設され又は物品に組み込まれて一体化され、非接触で情報を授受し、前記情報を再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理する手段及び、有線または無線の回線を介して情報を授受する手段及び、オンラインモード作動指示の発行手段を備える端末装置と、
前記端末装置と前記回線を介して情報を授受可能に構成され、前記端末装置を介した前記各情報タグとの情報授受により前記各情報タグが記録する情報を得て記録可能な集中ファイル部と、
を備えた情報管理システムに適用される情報管理方法であって、
前記端末装置と前記集中ファイル部が前記回線で接続された状態を前記オンラインモード、それ以外の状態をオフラインモードとして、
前記両モードの何れかにおける所望の任意の時期に、前記端末装置による前記情報タグへの情報の記録または再生を実行する過程と、
前記情報タグへ情報の更新記録または新規記録を施した際に、当該情報タグを特定する前記一覧リストを編成する過程と、
前記端末装置が、自ら発生させる指示或いは外部から入力された指示に基づき前記オンラインモード作動指示を発行し前記オンラインモードを開始させる過程と、
前記オンラインモードにおいて、前記リーダライタ部が前記一覧リストに載った情報タグのみを対象とし、該当する各情報タグから更新記録された情報または新規記録された情報のみを読出す過程と、
前記読出した情報を前記回線経由で前記集中ファイル部へ送付する過程と、
前記送付された情報を、前記集中ファイル部が記録する過程と、
を備えたことを特徴とする情報管理方法。
【請求項４】
各々が物品に添設され又は物品に組み込まれて一体化され、非接触で情報を授受し、前記情報を再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理する手段及び、有線または無線の回線を介して情報を授受する手段及び、付与されたオンラインモード作動指示を処理する手段を備える端末装置と、
オンラインモード作動指示を発行し前記端末装置へ付与可能であり、前記端末装置と前記回線を介して情報を授受可能であり、前記端末装置を介した前記各情報タグとの情報授受により前記各情報タグが記録する情報を得て記録する集中ファイル部と、
を備えた情報管理システムに適用される情報管理方法であって、
前記端末装置と前記集中ファイル部が前記回線で接続された状態を前記オンラインモード、それ以外の状態をオフラインモードとして、
前記両モードの何れかにおける所望の任意の時期に、前記端末装置による前記情報タグへの情報の記録または再生を実行する過程と、
前記情報タグへ情報の更新記録または新規記録を施した際に、当該情報タグを特定する前記一覧リストを編成する過程と、
前記集中ファイル部が、自ら発生させる指示或いは外部から入力された指示に基づき前記オンラインモード作動指示を発行し、前記回線を駆動することにより前記端末装置へ付与して、前記端末装置を前記オンラインモードで作動させる過程と、
前記オンラインモードにおいて、前記リーダライタ部が前記一覧リストに載った情報タグのみを対象とし、該当する各情報タグから更新記録された情報または新規記録された情報のみを読出す過程と、
前記読出した情報を前記回線経由で前記集中ファイル部へ送付する過程と、
前記送付された情報を、前記集中ファイル部が記録する過程と、
を備えたことを特徴とする情報管理方法。
【発明の詳細な説明】
【０００１】
【発明の属する技術分野】
本発明は、情報管理システムおよび情報管理方法に関し、とりわけ現場側（ローカル）で主としてオフライン時の情報記録を為す情報タグにより形成される現場側ファイルと、この現場側ファイルとオンラインで情報授受して更新可能な上位側ファイルとで構成する、情報管理システムおよび情報管理方法に関するものである。
【０００２】
【従来の技術】
生産現場や販売店舗の第一線現場で発生する、製品や商品に係る種々の情報やデータを収集し、収集された情報やデータをマスターファイルへ取り込み一括管理するといった、一連の情報管理を司る情報管理システムは、各産業分野において重要な機能を担うものとして広範に使用され、また常に新たな適用が図られている。
このような情報管理システムでは、一般的にデータや情報が発生する現場側（フロント）とマスターファイルが配置される上位側が距離的に隔たることが多く、よって両者はオンラインネットワークで結ばれ、頻繁な情報授受が為されている。この場合、現場側におけるデータや情報（以下、纏めて情報と記す）の発生は不規則・不定期であり、よってこの条件下で、情報授受の効率化と通信コスト削減の管理が実現されなければならない。
歴史的に当初、このような情報管理システムの設計思想として主流を占めたのは完全オンライン・オリエンテッド（完全オンライン主導）のコンセプトであった。例えばＰＯＳ構成のバーコードシステムでは、フロントにおいて発生した情報はその都度直ちに回線を経て中枢部門へ伝送され、メインフレーム・コンピュータの制御下でマスターファイルが更新されるものであった。図１６にこのような初期のバーコードシステムの構成を示す。
【０００３】
このバーコードシステムは、各々の物品に貼付されたバーコードラベル２００１、２００２に品番や価格情報を記録し、端末装置であるバーコード読取装置２００３がバーコードラベルに記録されている情報を読出し、キーボード２００４からの指示で回線２００５へ送出すると、回線２００５で結ばれたマスターファイル２００６がオンラインで取り込んで一括管理をなすものである。したがって各々の物品に貼付されたバーコードの記録情報は読み出される度に、他の情報とともにオンラインでマスターファイル２００６へ取り込まれ、中央において全情報の完全且つ一括管理と頻繁なアップデート操作が為されていた。ところがこの構成ではネットワークの負荷が大になり、またアクセスの都度、オーバーヘッドがかかることによりネットワーク利用効率が低下し、さらにコストが増大するという問題が発生した。
【０００４】
そこで上記の欠点を是正した情報管理システムとして、バッファファイルを現場側のたとえば端末装置に設け、フロントで発生する不規則・不定期の情報をバッファファイルへ暫定格納し、間欠的に回線を経てマスターファイルへ転記する構成が提案された。この骨子はバッファ記録を設けることによりマスターファイルへの頻繁なアクセスを抑制してオーバーヘッド部分を削減し、低コストを実現するものである。図１７にこのような改良された情報管理システムの構成を示す。
【０００５】
この情報管理システムは、各々の物品に貼付されたバーコード、またはＩＣタグ（電子タグとも称せられる）３００１、３００２に、品番や価格情報といった極く小容量の情報を記録する。現場で不規則・不定期の情報が発生すると、端末装置であるバーコード読取装置またはＩＣタグ読取装置３００３が、これらを回線コストを要しないバッファファイル３００４へ暫定格納する。そして所定の時期になるとＩＣタグ読取装置３００３がマスターファイル３００６との回線接続をして、それまでにバッファファイル３００４に格納されたデータや情報を一挙に、オンラインネット（回線）３００５で結ばれたマスターファイル３００６に転記するようになされる。
このように、各々の物品に関して現場で発生する情報は、オンラインでマスターファイル３００６へ取り込まれる替わりに、一旦、バッファファイル３００４へ暫定格納され、所定の時刻にオンラインでマスターファイル３００６へ取り込まれて一括管理される構成とされた。
【０００６】
【発明が解決しようとする課題】
しかしながら、前記のような従来の情報管理システムでは全ての情報がマスターファイルにおいて一元管理されるものであるから、現場から離れて上位側でマスターファイルをアクセスして応用処理を行う等の作業には効果的であるものの、一方において、現場の端末装置を用いて或る着目する物品の所望の情報を利用する際には、たとえその情報が量的に僅かなものであっても必ず回線を介して端末装置と上位側のマスターファイルとを接続し、マスターファイルから端末装置へ目的とする情報の伝送を受ける必要があった。これは、たとえバッファファイルが存在してもバッファファイルの記憶する情報量は極く一部に限定されるから、着目する物品に関するあらゆる情報の内から任意の所望の情報を入手するには、全てを一括管理するマスターファイルをアクセスすることが不可欠であることによる。このため交信に関わるオーバーヘッドが増大する。
上記は従来の情報管理システムが矢張りオンライン中央集権主体の設計思想に依拠するものであることから当然であり、したがってこのようなオンライン中央集権主体のシステムの有する本質的な欠点である、回線利用によるコスト増加や、オーバーヘッド増による伝送効率の低下、回線ビジー時の待ち時間発生による処理の遅延（即時処理の困難）を解消するものではなかった。さらに回線故障の発生による機能停止にも対処できるものではなかった。さらに、マスターファイル自体の故障時の全機能停止や、マスターファイルの予期しない崩壊による全情報の一括消滅といった事故に対し効果的な復元の方途を提供するものではなかった。
【０００７】
本発明は、前記のような従来技術における問題点を解決するためなされたもので、現場側での情報収集と即時処理と記録保持が常時可能で、且つ回線負荷を軽減した上位側ファイルへの転記が可能であり、高い伝送効率を維持し、さらに回線故障時にも対処可能で、しかもファイル復元が容易な、情報管理システムおよび情報管理方法を提供することを目的とする。
【０００８】
【課題を解決するための手段】
課題解決のための手段の説明に先立ち、本発明において使用する用語を簡単に説明する。但し以下は本発明の理解を助するための一説明であり、よって以下の各説明が各用語の定義、範囲等を限定するものではない。
【０００９】
「情報タグ」：物品に関する情報を再生可能または／および書き替え可能に記録し、物品に添設または一体形成可能であり、且つ情報書込・読取機能を備える運用手段であるリーダ・ライタ装置と接触または非接触で情報の授受が可能な、小型の情報担持装置または情報記録再生装置である。
情報タグは、情報を記録再生可能なメモリ部と、リーダ・ライタ装置との情報授受手段を具備して、少なくともリーダ・ライタ装置から供給される指示情報を解析し、これに基づき情報をメモリ部へ記録・更新またはメモリ部から記録情報を再生可能であり、さらにリーダ・ライタ装置へ応答情報を供給可能に構成される。
【００１０】
「情報」：情報タグに記録・保持・再生・更新・追記録・削除等が可能な情報として、以下の第１種別の情報と、第２種別の情報がある。第１種別の情報は「存在情報」であり、第２種別の情報には「状態情報」か「応用情報」がある。いずれも、時空間座標で形成される時空間領域上でのその物品に関するデータとして形成される。また第２種別の情報は、変化の頻度の高いアクチブ情報である。
【００１１】
「存在情報」（固定情報ともいう）：その物品の存在または特定（アイデンティフィケーション）に関する、その物品の存立に関わる基本的な情報であり、時空間座標で形成される時空間領域上での変動の少ない情報であり、第１種別の情報として分類される。
例として、当該物品の品番、学名などの名称がある。これらは固定された情報であり、物品が置かれた場所や時間が移っても変化することのない、または変化の頻度の低い情報である。
【００１２】
「状態情報」：上記存在情報を有する物品が、時間座標および空間座標により形成される時空領域内の特定位置において有する属性の情報であり、存在情報に基づき誘導された時間的・空間的に依存する情報を含む、変化の頻度の高いアクチブ情報である。これは第２種別の情報として分類される。
例としては、
その実体を構成する商品の発売時期と場所
仕入れ価額、定価、実売価格
発売後の経過期間
取引記録（レンタル商品の場合は貸し出し日数や貸出回数）
顧客コード、性別、年齢
などの、過去／現在に係るデータがある。
【００１３】
「応用情報」：上記状態情報に基づき誘導された応用的なアクチブ情報であり、第２種別の情報として分類される。例としてマーケティング情報がある。マーケティング情報には過去／現在データに基づいて未来の販売を予測する情報や、ある地域（ローカルエリア）情報に基づく他のエリアの予測情報等がある。
【００１４】
「ＰＯＰ（ポイント・オブ・プロセッシング）」：販売現場や生産現場等において、商品や製品の存在情報のみならず応用情報を含む、当該商品や製品に属するあらゆる情報を、当該商品や製品に添設された情報タグに記入処理、または再生処理し、これら処理のすべて、または大部分を現場側で完結させるという概念をＰＯＰ（ポイント・オブ・プロセッシング）とする。
このＰＯＰ（ポイント・オブ・プロセッシング）は従来のＰＯＳの概念を拡張するものであり、本発明において提唱される概念である。
【００１５】
「ＰＯＭ（ポイント・オブ・マネジメント）」：販売現場や生産現場等において、商品や製品の存在情報のみならず応用情報などの、当該商品や製品に属するあらゆる情報の管理にとどまらず、さらに当該商品自体や製品自体の管理をも、両管理を一体で、現場側だけで、または主として現場側で実行するという概念をＰＯＭ（ポイント・オブ・マネジメント）とする。
このＰＯＭ（ポイント・オブ・マネジメント）は従来のＰＯＳの概念を拡張するものであり、本発明において提唱される概念である。
【００１６】
次に本発明の原理の概要を述べる。但し以下の説明は原理の概要であり、したがって当然ながら請求内容の全て及び詳細を網羅するものではない。
本発明の情報管理システムは、オフラインモードとオンラインモードの両モードで作動し、現場側ファイルと上位側ファイル（集中ファイル部）をそれぞれ形成して管理する。
現場側で各物品に関し発生する情報を、端末装置が、主としてオフラインモードで常時、その物品に添設された各情報タグへ更新記録または新規記録することで、常にアクティブ情報を保持・管理する現場側ファイルを、複数の情報タグの一塊によって形成する。
【００１７】
一方、端末装置のオンラインモード作動指示手段がオンラインモード作動指示を間欠的に発行するか、または集中ファイル部がオンラインモード作動指示を間欠的に発行して、情報管理システム全体をオンラインモードへ間欠的に切換え作動させ、それまでに情報タグへ更新記録または新規記録した情報を回線経由で集中ファイル部へ送付し集中記録することで上位側ファイルを更新する。これにより現場側ファイルと上位側ファイルの内容が同期する。
したがって現場側での情報処理に回線を使用せず、また現場側ファイルから上位側ファイルへの転記を間欠的に実行するから、回線の負荷を極力軽減できる。
【００１８】
しかも現場側で情報のアクセスが必要になれば、現場側ファイルすなわち情報タグをアクセスすればよいから、回線負荷は発生せず、ＰＯＰ（ポイント・オブ・プロセッシング）とＰＯＭ（ポイント・オブ・マネジメント）を効果的に実行できる。
また上位側で情報のアクセスが必要になれば、上位側ファイル（集中ファイル）をアクセスすればよく、回線経由して情報タグをアクセスする必要がない。
しかも両ファイルが相互に相手をバックアップできるから、突然の電源断などでもシステム全停止を回避でき、また一方にファイル破損が生じても他方によるバックアップで容易に復元でき、システム信頼度かつシステム保全において有利となる。
【００１９】
以下、本発明に係る手段を述べる。
【００２７】
前記従来技術の課題を解決するとともに前記目的を達成すべく、本願発明の請求項１に係る情報管理システムは、各々が物品に添設され又は物品に組み込まれて一体化され、非接触で情報を授受し、前記情報を内蔵する記憶手段に再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理するリスト編成管理手段及び、有線または無線の回線を介して情報を授受可能な交信管理手段及び、オンラインモード作動指示を発行するオンラインモード作動指示手段を備える端末装置と、
情報の記録手段を有し、前記端末装置と前記回線を介して情報を授受可能に構成され、前記端末装置を介した前記各情報タグとの情報授受により前記各情報タグが記録する情報を得て、前記記録手段へ記録する集中ファイル部と、
を備え、
前記端末装置と前記集中ファイル部が前記回線で接続された状態を前記オンラインモード、それ以外の状態をオフラインモードとして、前記オンラインモードは、前記オンラインモード作動指示で開始され、
前記端末装置は前記各情報タグへの情報の記録または再生を、前記両モードにおける所望の任意の時期に常時実行可能であり、且つ前記情報タグへ情報の更新記録または新規記録を施した際に、前記リスト編成管理手段が当該情報タグを特定する前記一覧リストを編成し、
前記オンラインモード作動指示手段が、自ら発生させる指示或いは外部から入力された指示に基づき前記オンラインモード作動指示を発行し前記オンラインモードを開始させ、
前記オンラインモードにおいて前記リーダライタ部は、前記一覧リストに載った情報タグのみを対象とし、該当する各情報タグから更新記録された情報または新規記録された情報のみを読出し、
前記交信管理手段が前記回線経由で前記情報を前記集中ファイル部へ送付し、
前記集中ファイル部が前記記録手段へ記録する、
構成としたことを特徴とする。
【００２８】
前記の情報管理システムによれば、発生する情報が情報タグへ更新記録または新規記録され、端末装置のオンラインモード作動指示手段がオンラインモード作動指示を発行すると集中ファイル部を含む全体がオンラインモードで作動し、それまでに情報タグへ更新記録または新規記録された情報が回線経由で集中ファイル部へ送付され、記録手段へ記録される。
このように、オフラインモードまたはオンラインモードを問わず発生する情報はその都度、情報タグへ更新記録または新規記録され蓄積されるから、情報タグには常にアクティブな情報が全て記録保持され、情報の逸失やロス発生のない管理がなされる。しかも回線を経由することなく、常時発生するアクティブ情報の記録が為されるので、情報タグへの情報の記録時に回線に負荷を与えることがない。
【００２９】
さらに、オンラインモードになると、それまでに蓄積された更新記録分または新規記録分の情報が集中ファイル部へ送付され、記録手段へ記録されるから、集中ファイル部にもアクティブな情報が全て記録保持される。ここで更新記録または新規記録を施した情報タグだけの一覧リストが端末装置で作成され、オンラインモード開始で集中ファイル部へ情報を送る際に一覧リストを参照して必要な情報タグだけが選択的にアクセスされることで、アクセス対象の情報タグが必要最小限になり時間短縮がなされ、転記効率の向上と重複記録の発生を避けることで情報の信頼性の改善がなされる。
しかもオンラインモードはオンラインモード作動指示が発行された際にのみ作動するから、回線の負荷を極力軽減するようにでき、効率改善がなされる。
したがって、物品に属する情報が発生する現場側においては、各情報タグがアクセスされることで、回線経由で集中ファイル部をアクセスする必要がなく、現場側において迅速かつ低コストで情報入手がなされる。
【００３０】
一方、送られた情報を記録する上位側では、例えば他の機器により集中ファイル部がアクセスされることで、回線経由で現場側の情報タグをアクセスする必要がなく、上位側において迅速かつ低コストで情報入手がなされる。
しかも現場側の情報タグの保持する情報と、上位側の集中ファイル部の保持する情報とが対応するから、何れか一方が他方のバックアップとして作用し、何れかのファイルに故障が生じても、他方のバックアップによって復元がなされる。またシステムの全面停止が回避される。
さらに、オンラインモードの開始は端末装置によって制御されるが、端末装置は情報が発生する現場側に置かれて情報タグへの記録状況を最も良く把握しているから、オンライン送付をすべきタイミングの判断が的確にでき、記録状況の観点から最良のタイミングにオンライン指示が発行されることで、集中ファイルの効果的な更新がなされる。
【００３１】
本発明の請求項２に係る情報管理システムは、各々が物品に添設され又は物品に組み込まれて一体化され、非接触で情報を授受し、前記情報を内蔵する記憶手段に再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理するリスト編成管理手段及び、有線または無線の回線を介して情報を授受可能な交信管理手段及び、付与されたオンラインモード作動指示を処理するモード指示処理手段を備える端末装置と、
情報の記録手段と、オンラインモード作動指示を発行し前記端末装置へ付与可能な指示付与手段を有し、前記端末装置と前記回線を介して情報を授受可能に構成され、前記端末装置を介した前記各情報タグとの情報授受により前記各情報タグが記録する情報を得て、前記記録手段へ記録する集中ファイル部と、
を備え、
前記端末装置と前記集中ファイル部が前記回線で接続された状態を前記オンラインモード、それ以外の状態をオフラインモードとして、前記オンラインモードは、前記指示付与手段が発行する前記オンラインモード作動指示で開始され、
前記端末装置は前記各情報タグへの情報の記録または再生を、前記両モードにおける所望の任意の時期に常時実行可能であり、且つ前記情報タグへ情報の更新記録または新規記録を施した際に、前記リスト編成管理手段が当該情報タグを特定する前記一覧リストを編成し、
前記集中ファイル部の前記指示付与手段が、自ら発生させる指示或いは外部から入力された指示に基づき前記オンラインモード作動指示を発行し、前記回線を駆動することにより前記端末装置へ付与して、前記端末装置を前記オンラインモードで作動させ、
前記オンラインモードにおいて前記リーダライタ部は、前記一覧リストに載った情報タグのみを対象とし、該当する各情報タグから更新記録された情報または新規記録された情報のみを読出し、
前記交信管理手段が前記回線経由で前記情報を前記集中ファイル部へ送付し、
前記集中ファイル部が前記記録手段へ集中記録する、
構成としたことを特徴とする。
【００３２】
前記の情報管理システムによれば、発生する情報が情報タグへ更新記録または新規記録され、集中ファイル部の指示付与手段がオンラインモード作動指示を発行すると集中ファイル部を含む全体がオンラインモードで作動し、それまでに情報タグへ更新記録または新規記録された情報が読み出され回線経由で集中ファイル部へ送付され、記録手段へ記録される。
この場合に更新記録または新規記録を施した情報タグだけの一覧リストが端末装置で作成され、オンラインモード開始で集中ファイル部へ情報を送る際に一覧リストを参照して必要な情報タグだけが選択的にアクセスされることで、アクセス対象の情報タグが必要最小限になり時間短縮がなされ、転記効率の向上と重複記録の発生を避けることで情報の信頼性の改善がなされる。
また、オフラインモードまたはオンラインモードを問わず発生する情報はその都度、情報タグへ更新記録または新規記録され蓄積されるから、情報タグには常にアクティブな情報が全て記録保持され、情報の逸失やロスの発生がない管理がなされる。さらに、蓄積された更新記録分または新規記録分の情報が、オンラインモードにおいて集中ファイル部へ送付され、記録手段へ集中記録されるから、集中ファイル部にもアクティブな情報が全て記録保持される。
したがって、物品に属する情報が発生する現場側においては、各情報タグがアクセスされることで、回線経由で集中ファイル部をアクセスする必要がなく、現場側において迅速かつ低コストで情報入手がなされる。
一方、情報のみを集中記録する上位側では、集中ファイル部がアクセスされることで、回線経由で現場側の情報タグをアクセスする必要がなく、上位側において迅速かつ低コストで情報入手がなされる。
しかも現場側の情報タグの保持する情報と、上位側の集中ファイル部の保持する情報とが対応するから、何れか一方が他方のバックアップとして作用し、何れかのファイルに故障が生じても、他方のバックアップによって復元がなされる。さらに、オンラインモードの開始は集中ファイル部によって制御されるが、集中ファイル部は回線の状況を最も良く把握できるから、オンラインでの情報取込をすべきタイミングを回線使用の観点から的確に判断でき、最良のタイミングにオンライン指示が発行されることで、効果的な集中ファイルの更新がなされる。
【００４４】
本発明の請求項３に係る情報管理方法は、各々が物品に添設され又は物品に組み込まれて一体化され、非接触で情報を授受し、前記情報を再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理する手段及び、有線または無線の回線を介して情報を授受する手段及び、オンラインモード作動指示の発行手段を備える端末装置と、
前記端末装置と前記回線を介して情報を授受可能に構成され、前記端末装置を介した前記各情報タグとの情報授受により前記各情報タグが記録する情報を得て記録可能な集中ファイル部と、
を備えた情報管理システムに適用される情報管理方法であって、
前記端末装置と前記集中ファイル部が前記回線で接続された状態を前記オンラインモード、それ以外の状態をオフラインモードとして、
前記両モードの何れかにおける所望の任意の時期に、前記端末装置による前記情報タグへの情報の記録または再生を実行する過程と、
前記情報タグへ情報の更新記録または新規記録を施した際に、当該情報タグを特定する前記一覧リストを編成する過程と、
前記端末装置が、自ら発生させる指示或いは外部から入力された指示に基づき前記オンラインモード作動指示を発行し前記オンラインモードを開始させる過程と、
前記オンラインモードにおいて、前記リーダライタ部が前記一覧リストに載った情報タグのみを対象とし、該当する各情報タグから更新記録された情報または新規記録された情報のみを読出す過程と、
前記読出した情報を前記回線経由で前記集中ファイル部へ送付する過程と、
前記送付された情報を、前記集中ファイル部が記録する過程と、
を備えたことを特徴とする。
【００４５】
前記の情報管理方法によれば、発生する情報が情報タグへ更新記録または新規記録され、端末装置がオンラインモード作動指示を発行すると集中ファイル部を含む全体がオンラインモードで作動し、それまでに情報タグへ更新記録または新規記録された情報が回線経由で集中ファイル部へ送付され、記録手段へ記録される。
このように、オフラインモードまたはオンラインモードを問わず発生する情報はその都度、情報タグへ更新記録または新規記録され蓄積されるから、情報タグには常にアクティブな情報が全て記録保持され、情報の逸失やロス発生のない管理がなされる。しかも回線を経由することなく、常時発生するアクティブ情報の記録が為されるので、情報タグへの情報の記録時に回線に負荷を与えることがない。
【００４６】
さらに、オンラインモードになると、それまでに蓄積された更新記録分または新規記録分の情報が集中ファイル部へ送付され、記録手段へ記録されるから、集中ファイル部にもアクティブな情報が全て記録保持される。ここで更新記録または新規記録を施した情報タグだけの一覧リストが端末装置で作成され、オンラインモード開始で集中ファイル部へ情報を送る際に一覧リストを参照して必要な情報タグだけが選択的にアクセスされることで、アクセス対象の情報タグが必要最小限になり時間短縮がなされ、転記効率の向上と重複記録の発生を避けることで情報の信頼性の改善がなされる。
しかもオンラインモードはオンラインモード作動指示が発行された際にのみ作動するから、回線の負荷を極力軽減するようにでき、効率改善がなされる。
したがって、物品に属する情報が発生する現場側においては、各情報タグがアクセスされることで、回線経由で集中ファイル部をアクセスする必要がなく、現場側において迅速かつ低コストで情報入手がなされる。
【００４７】
一方、送られた情報を記録する上位側では、例えば他の機器により集中ファイル部がアクセスされることで、回線経由で現場側の情報タグをアクセスする必要がなく、上位側において迅速かつ低コストで情報入手がなされる。
しかも現場側の情報タグの保持する情報と、上位側の集中ファイル部の保持する情報とが対応するから、何れか一方が他方のバックアップとして作用し、何れかのファイルに故障が生じても、他方のバックアップによって復元がなされる。またシステムの全面停止が回避される。
さらに、オンラインモードの開始は端末装置によって制御されるが、端末装置は情報が発生する現場側に置かれて情報タグへの記録状況を最も良く把握しているから、オンライン送付をすべきタイミングの判断が的確にでき、記録状況の観点から最良のタイミングにオンライン指示が発行されることで、集中ファイルの効果的な更新がなされる。
【００４８】
本発明の請求項４に係る情報管理方法は、各々が物品に添設され又は物品に組み込まれて一体化され、非接触で情報を授受し、前記情報を再生自在に記録する非接触型の情報タグと、
前記各情報タグへ接近して前記各情報タグへの記録または前記各情報タグからの再生を非接触で行うリーダライタ部及び、前記リーダライタ部により情報の更新記録がなされた情報タグか又は新規記録がなされた情報タグを特定するための一覧リスト及び、前記一覧リストを編成管理する手段及び、有線または無線の回線を介して情報を授受する手段及び、付与されたオンラインモード作動指示を処理する手段を備える端末装置と、
オンラインモード作動指示を発行し前記端末装置へ付与可能であり、前記端末装置と前記回線を介して情報を授受可能であり、前記端末装置を介した前記各情報タグとの情報授受により前記各情報タグが記録する情報を得て記録する集中ファイル部と、
を備えた情報管理システムに適用される情報管理方法であって、
前記端末装置と前記集中ファイル部が前記回線で接続された状態を前記オンラインモード、それ以外の状態をオフラインモードとして、
前記両モードの何れかにおける所望の任意の時期に、前記端末装置による前記情報タグへの情報の記録または再生を実行する過程と、
前記情報タグへ情報の更新記録または新規記録を施した際に、当該情報タグを特定する前記一覧リストを編成する過程と、
前記集中ファイル部が、自ら発生させる指示或いは外部から入力された指示に基づき前記オンラインモード作動指示を発行し、前記回線を駆動することにより前記端末装置へ付与して、前記端末装置を前記オンラインモードで作動させる過程と、
前記オンラインモードにおいて、前記リーダライタ部が前記一覧リストに載った情報タグのみを対象とし、該当する各情報タグから更新記録された情報または新規記録された情報のみを読出す過程と、
前記読出した情報を前記回線経由で前記集中ファイル部へ送付する過程と、
前記送付された情報を、前記集中ファイル部が記録する過程と、
を備えたことを特徴とする。
【００４９】
前記の情報管理方法によれば、発生する情報が情報タグへ更新記録または新規記録され、集中ファイル部がオンラインモード作動指示を発行すると集中ファイル部を含む全体がオンラインモードで作動し、それまでに情報タグへ更新記録または新規記録された情報が回線経由で集中ファイル部へ送付され、記録手段へ記録される。
ここで更新記録または新規記録を施した情報タグだけの一覧リストが端末装置で作成され、オンラインモード開始で集中ファイル部へ情報を送る際に一覧リストを参照して必要な情報タグだけが選択的にアクセスされることで、アクセス対象の情報タグが必要最小限になり時間短縮がなされ、転記効率の向上と重複記録の発生を避けることで情報の信頼性の改善がなされる。
このように、オフラインモードまたはオンラインモードを問わず発生する情報はその都度、情報タグへ更新記録または新規記録され蓄積されるから、情報タグには常にアクティブな情報が全て記録保持され、情報の逸失やロスの発生がない管理がなされる。さらに、蓄積された更新記録分または新規記録分の情報が、オンラインモードにおいて集中ファイル部へ送付され、記録手段へ集中記録されるから、集中ファイル部にもアクティブな情報が全て記録保持される。
【００５０】
したがって、物品に属する情報が発生する現場側においては、各情報タグがアクセスされることで、回線経由で集中ファイル部をアクセスする必要がなく、現場側において迅速かつ低コストで情報入手がなされる。
一方、情報のみを集中記録する上位側では、集中ファイル部がアクセスされることで、回線経由で現場側の情報タグをアクセスする必要がなく、上位側において迅速かつ低コストで情報入手がなされる。
しかも現場側の情報タグの保持する情報と、上位側の集中ファイル部の保持する情報とが対応するから、何れか一方が他方のバックアップとして作用し、何れかのファイルに故障が生じても、他方のバックアップによって復元がなされる。
さらに、オンラインモードの開始は集中ファイル部によって制御されるが、集中ファイル部は回線の状況を最も良く把握できるから、オンラインでの情報取込をすべきタイミングを回線使用の観点から的確に判断でき、最良のタイミングにオンライン指示が発行されることで、効果的な集中ファイルの更新がなされる。
【００５５】
【発明の実施の形態】
以下、この発明の好適な実施形態を添付図を参照して詳細に説明する。なお、以下に述べる実施形態は、この発明の本質的な構成と作用を示すための好適な例の一部であり、したがって技術構成上好ましい種々の限定が付されている場合があるが、この発明の範囲は、以下の説明において特にこの発明を限定する旨の記載がない限り、これらの形態に限られるものではない。
【００５６】
図１は、本発明に係る情報管理システムの一実施形態のブロック構成図である。
図１に示されるように、本発明に係る情報管理システムＩｍｓ１は、少なくとも１基の情報タグＴＦと、端末装置Ｔｎｒと、集中ファイル部Ｆｌｅを備える。さらに端末装置Ｔｎｒと集中ファイル部Ｆｌｅは、有線または無線による回線Ｎｅｔを介して接続可能である。
情報タグＴＦは物品Ｍａｔに添設されて事実上は物品Ｍａｔに一体化されており、情報タグＴＦが内蔵する記憶手段Ｍｅｍには、前掲の第１種別情報ｉｓｊ１、第２種別情報ｉｓｊ２が再生可能に記録される。
【００５７】
端末装置Ｔｎｒは、リーダライタ部ＲＷと、キーボードやスイッチを有する入力手段Ｉｐｔと、ストアード・プログラム方式で動作する、不図示の超小型演算処理装置（マイクロプロセッサ・ユニット）または論理処理回路を具備し、さらにこれらによって読取りおよび実行可能なプログラムとして少なくともその一部が構成される、制御手段Ｃｔｒ１１と、交信管理手段Ｍｃｃと、オンラインモード作動指示手段Ｍоｌが準備されている。
ここで端末装置Ｔｎｒと集中ファイル部Ｆｌｅが回線Ｎｅｔで接続された状態をオンラインモード、それ以外の状態をオフラインモードとする。
【００５８】
制御手段Ｃｔｒ１１は、端末装置Ｔｎｒ全体の動作制御を司る。
オンラインモード作動指示手段Ｍоｌは、入力手段Ｉｐｔにより外部から入力される指令に基づいてオンライン作動指示を発行するか、または情報タグＴＦへの記録の頻度等を検査し、検査の結果に基づいてオンライン作動指示を発行する。このオンライン作動指示は、オフライン作動中に間欠的に発行されることになる。したがってオンラインモードによる作動は間欠的になされる。
【００５９】
これらプログラムは、いずれも不図示の、読出専用メモリであるマスクＲＯＭや、ＥＥＰＲＯＭ（電気的消去可能プログラマブル読出しメモリ）、フラッシュメモリ等の不揮発性メモリに格納される。また一部をＳＲＡＭ（記憶保持動作が不要な随時書込・読出メモリ）に格納するか、或いは外付けの記録媒体から実行時にＤＲＡＭ（記憶保持動作がなされる随時書込・読出メモリ）に取り込み実行するよう構成できる。
【００６０】
集中ファイル部Ｆｌｅは回線Ｎｅｔに接続され、ハード磁気ディスク装置による記録手段Ｈｄと、ストアード・プログラム方式で動作する不図示の超小型演算処理装置（マイクロプロセッサ・ユニット）または論理処理回路を具備し、さらにこれらによって読取りおよび実行可能なプログラムとして少なくともその一部が構成される制御手段Ｃｔｒ１２を備えている。制御手段Ｃｔｒ１２は集中ファイル部Ｆｌｅ全体の動作を制御し、且つ回線Ｎｅｔの制御機能および交信機能を備える。
【００６１】
図２は、ワンチップ構成で実現された情報タグＴＦの外観図である。同図に示されるように、基台となるチップ上にアンテナ装置ＡＮＴ２がループアンテナとして形成され、このアンテナ装置ＡＮＴ２に半導体チップＩＣとキャパシタＣが接続されて構成される。キャパシタＣは共振周波数を調整するものである。
【００６２】
図３は、図１に示される情報管理システムＩｍｓ１の構成部分である情報タグＴＦとリーダライタ部ＲＷのブロック構成図である。
【００６３】
ここで情報タグＴＦは、リーダライタ部ＲＷと非接触で相互誘導により電磁波の送受が可能な遠隔位置に置かれ、対象とする物品Ｍａｔの筐体などに貼付されて、この物品Ｍａｔに関わる情報を受理して記録し、また再生するよう構成されている。
一方、リーダライタ部ＲＷは、情報タグＴＦに非接触で相互誘導により電磁波の送受が可能な位置に置かれる。
【００６４】
リーダライタ部ＲＷは、マイクロコンピュータ内蔵の構成であり、情報送出部１０００と、アンテナ装置ＡＮＴ１と、情報検出部１００２と、制御・判定部１００４を備え、情報タグＴＦとの送信モードと受信モードで動作する。送信モードでは情報タグＴＦへ記録すべき情報の情報タグＴＦへの供給がなされ、受信モードでは情報タグＴＦから再生された情報の供給を受ける。
情報送出部１０００は、クロック発生機能と、変調機能と、電力増幅機能を備えて、搬送周波数のクロック信号およびマスタークロックを生成し、送信モードでは制御・判定部１００４から供給を受けた送信データに基づき搬送波に例えばＡＳＫ変調を施して変調信号とし、これを電力増幅してアンテナ装置ＡＮＴ１を駆動する。また受信モードでは搬送波を無変調で電力増幅してアンテナ装置ＡＮＴ１を駆動する。
【００６５】
アンテナＡＮＴ１は、送受信兼用のループ状アンテナで構成され、送信モードでは変調信号に基づく電磁界を形成させ、受信モードでは搬送波に基づく電磁界を形成させ、何れのモードにあっても、情報タグＴＦ側のアンテナＡＮＴ２と電磁界を介した誘導結合をする。情報検出部１００２は、アンテナ端子電圧の検出機能と、復調機能を備える。さらに制御・判定部１００４は、符号化・復号化機能と、この装置全体の動作の制御機能と、端末装置Ｔｎｒの制御手段Ｃｔｒ１１とのインタフェース機能を備える。
【００６６】
送信モードでは、制御・判定部１００４が、制御手段Ｃｔｒ１１から受けた信号に基づき情報タグＴＦ側へ付与する送信情報すなわちコマンドを編成し、情報送出部１０００がこのコマンドに基づき搬送波を変調し、電力増幅して、アンテナＡＮＴ１を駆動する。これにより、コマンドが載った搬送波による電磁界が形成され、この電磁界により情報タグＴＦへコマンドが付与されると同時に電力供給がなされる。
送信情報には、情報タグＴＦから記録されている情報を再生し送付させる指令で成る場合と、情報タグＴＦへ所与のデータを記録させる指令とそのデータから成る場合とがある。
受信モードにあっても、コマンドが載らない無変調の搬送波による電磁界を形成し続ける。この電磁界により、情報タグＴＦへの電力供給が継続されるとともに、情報タグＴＦからの応答（レスポンス）の検出がなされる。応答には、情報タグＴＦから読み出した再生情報が載せられている。
【００６７】
ここで情報タグＴＦが応答内容に対応させて情報タグＴＦ側のアンテナＡＮＴ２の負荷状態を変化させるか、情報タグＴＦ側の電力負荷を変化させると、アンテナＡＮＴ１と情報タグＴＦ側のアンテナＡＮＴ２とはこの間、誘導結合状態にあるから、この情報タグＴＦ側の負荷変動に応じてアンテナＡＮＴ１の端子電圧が変動する。この端子電圧変動を情報検出部１００２が検出・復調し、制御・判定部１００４へ渡す。制御・判定部１００４はこれに誤り訂正を施し、応答（レスポンス）を復元して端末装置Ｔｎｒの制御手段Ｃｔｒ１１へ送付する。
【００６８】
このようにリーダライタ部ＲＷは、送信モードで送信情報が載ったコマンドを送信することで情報タグＴＦから情報を読み出させ、または情報を記録させる。とりわけ、情報の種別やデータ項目、データアドレス等を指定した再生指示コマンドを送信することにより、情報タグＴＦ内に格納されている各種の情報の読み出しを行ない、さらに情報の種別やデータ項目、データアドレス等を指定した記録指示コマンドと記録すべき情報を送信することで情報タグＴＦ内に記録させる。
【００６９】
一方、情報タグは、リーダライタ部ＲＷのアンテナ装置ＡＮＴ１との間で電磁界を媒体として誘導結合され、相互誘導により非接触で情報を送受するとともに電力供給を受けるアンテナ装置ＡＮＴ２および、このアンテナ装置ＡＮＴ２にいずれも接続された復調手段Ｄｅおよび変調手段Ｃｍを備える送受信手段Ｔｒ、このアンテナ装置ＡＮＴ２にそれぞれ接続された、電源手段Ｐｗ、クロック抽出手段Ｃｋ、装置全体の動作を制御する制御手段Ｃｎｔ１、この制御手段Ｃｎｔ１に接続された符号化・復号化手段Ｅｒｃ、さらに制御手段Ｃｎｔ１に接続された不揮発性メモリ装置Ｍｅｍを備える。不揮発性メモリ装置Ｍｅｍは記憶手段として機能する。
【００７０】
アンテナ装置ＡＮＴ２は送受信兼用で、例えばループ状アンテナで構成される。
復調手段Ｄｅはアンテナ装置ＡＮＴ２に発生した誘導電流を等化処理し、さらに検波・復調して情報とし、制御手段Ｃｎｔ１へ供給する。
変調手段Ｃｍは、制御手段Ｃｎｔ１から供給された再生情報に符号化を施したレスポンス情報に基づき負荷インピーダンス（不図示）をアンテナ装置ＡＮＴ２に断続させる制御をすることで反射波を変調処理するか、或いはレスポンス情報に基づき電源Ｐｗに直接または間接に接続された負荷を断続させる制御をするか、或いはレスポンス情報で変調（例えばＡＳＫ変調）した別周波数の搬送波をアンテナ装置ＡＮＴ２へ給電する構成であるかの、いずれかの構成とする。
【００７１】
これをさらに説明すると、レスポンス情報に基づきアンテナ装置ＡＮＴ２の負荷インピーダンスを制御する構成では、リーダライタ部ＲＷから電磁界の作用を受け続けているアンテナ装置ＡＮＴ２から搬送波の反射波を発射させる際に、レスポンス情報に基づき負荷インピーダンスを切換制御することによりアンテナ装置ＡＮＴ２の反射率を制御し、これにより反射波を前述したレスポンス情報で変調されたものにする。
一方、レスポンス情報に基づき電源の負荷を制御する構成では、レスポンス情報に基づいた負荷の切換制御により電源にかかるロードを切換えて誘導結合状態にある情報タグＴＦ側のインピーダンスを変動させることで変調するように構成される。この情報タグＴＦ側のインピーダンス変動は、誘導結合状態にあるリーダライタ部ＲＷ側（外部装置側）で、アンテナ装置ＡＮＴ１の端子電圧変動や投入電力量の変動として検出される。
【００７２】
上記のように、本実施形態の構成による情報授受は、情報タグＴＦのアンテナ装置ＡＮＴ２がリーダライタ部ＲＷの発した電磁波を受信した際に相互誘導により生成する誘導電流を処理して情報を復調し、ついでリーダライタ部ＲＷへ発信する情報に基づきアンテナ装置ＡＮＴ２の負荷インピーダンスを制御して送信するか（搬送波の反射波による情報送信）、リーダライタ部ＲＷへ発信する情報に基づき情報タグＴＦ側の電源の負荷を制御して送信するか（インピーダンス変動による情報送信）、リーダライタ部ＲＷへ発信する情報により別周波数の搬送波に変調を施してアンテナ装置ＡＮＴ２へ給電して送信するか（情報タグＴＦの有する送信機能が発する別周波数の送信波による情報送信）、等の何れかにより実現される。
さらに他の原理によっても実現可能である。尚、他の原理については後述される。
【００７３】
電源装置（電源）Ｐｗは、アンテナ装置ＡＮＴ２が電磁界を介して相互誘導で発生させた高周波の誘導電流を受けて整流し、これを電源として装置各部に電力供給する。さらに安定な直流電圧を出力するための電圧安定化回路を備えることも可能である。そして装置各部はこの供給電力によって作動することができる。したがって、この情報タグＴＦｉは電池などの他の電源を特に準備する必要はない。但し電池などの他の電源を主電源または副電源とする構成も可能であることは言うまでもない。
クロック発生部Ｒ１１は分周回路を備え、アンテナ３１で受信した搬送波に基づいて搬送周波数のクロック信号を出力するとともに、このクロック信号を分周して、装置内の各種デジタル回路部の動作基準クロックとなるマスタークロックを生成して出力する。
【００７４】
不揮発性メモリ装置Ｍｅｍは、この情報タグＴＦが添設されている物品Ｍａｔの予め定めた第１種別の情報ｉｓｊ１、たとえば物品の存立に関わる情報として定義される存在情報を記録する第１種別情報領域と、この物品の状態に関わる情報として定義される状態情報などの第２種別の情報ｉｓｊ２を記録する第２種別情報領域とを形成可能であり、制御手段Ｃｎｔ１の制御によって上記各領域を形成し、また各領域に対応する各情報を更新かつ再生自在に記録し、また各領域から各情報を再生する。
【００７５】
制御手段Ｃｎｔ１は、受信時において送受信手段Ｔｒから付与される復調された信号を符号化・復号化手段Ｅｒｃへ送る。符号化・復号化手段Ｅｒｃは、制御手段Ｃｎｔ１から供給される情報へ復号化とＣＲＣ符号に基づく誤り修正とを施して制御手段Ｃｎｔ１へ返送し、制御手段Ｃｎｔ１はこれより指示情報を抽出する。このようにしてリーダライタ部ＲＷから電磁界を媒介して付与された指示情報が復元される。
また、符号化・復号化手段Ｅｒｃは返信時には制御手段Ｃｎｔ１から供給される情報にＣＲＣ符号等の誤り訂正用コードを付与し、誤り訂正用コードを付与したデータを符号化したレスポンス情報を制御手段Ｃｎｔ１へ返送する。
符号化・復号化手段Ｅｒｃはデータのエラー訂正機能を含むが、この他にデータの暗号化／復号化機能を備える構成とすることも可能である。さらにＣＲＣ方式に限定されず他のエラー訂正回路を適用することも可能である。
【００７６】
制御手段Ｃｎｔ１は、クロック抽出回路Ｃｋから供給されたクロックに基づき、復調手段Ｄｅから供給された復調信号を符号化・復号化手段Ｅｒｃへ送付し、エラー訂正された信号に基づき各種の指示情報を抽出し、また記録用の情報を分離抽出して、これら指示情報を解析し、所定の処理を所定の手順で逐次実行する、シーケンス制御機能を備えた半導体ロジック制御回路として構成される。このような所定の手順に従い、条件を判定して例えば複数ゲートの開閉を時系列で逐次実行する半導体シーケンス・コントローラの技術は広く適用されており、制御手段Ｃｎｔ１はこの技術を利用したものである。
【００７７】
指示情報が、第１種別の情報ｉｓｊ１をリーダライタ部ＲＷへ発信する指示であれば、不揮発性メモリ装置Ｍｅｍの第１種別情報領域に記録された第１種別の情報ｉｓｊ１を「１」と「０」から成る２値情報として読み出し、符号化・復号化手段Ｅｒｃを経由して変調手段Ｃｍへ送る。
指示情報が、送付された第２種別の情報ｉｓｊ２を記録する指示であれば、送付されエラー処理された第２種別の情報を、「１」と「０」から成る２値情報として不揮発性メモリ装置Ｍｅｍの第２種別情報領域に記録する。この時、不揮発性メモリ装置Ｍｅｍに第２種別情報領域が存在しなければ、第２種別情報領域を新規に開いて記録する。
また指示情報が、第２種別の情報ｉｓｊ２をリーダライタ部ＲＷへ発信する指示であれば、不揮発性メモリ装置Ｍｅｍの第２種別情報領域に記録された第２種別の情報を「１」と「０」から成る２値情報として読み出し、符号化・復号化手段Ｅｒｃを経由して変調手段Ｃｍへ送る。
【００７８】
上記のように制御手段Ｃｎｔ１は、指示情報解析手段およびシーケンス制御手段として作用するとともに、信号処理手段として作用する。これにより、リーダライタ部ＲＷから送付された指示情報に基づいて処理が実行され、その実行結果が変調手段Ｃｍへ送られることになる。
実行結果を制御手段Ｃｎｔ１から受けた変調手段Ｃｍは、上述した何れかの変調方式に基づく変調処理を実行する。これを受けて送受信手段Ｔｒは変調信号をアンテナ装置ＡＮＴ２を介してリーダライタ部ＲＷへ付与する。この付与は前述したように、情報タグＴＦの有する送信機能による送信波によるか、反射波によるか、またはインピーダンス変動による原理で為される。
【００７９】
つぎに、リーダライタ部ＲＷによる情報タグＴＦ内のメモリ手段の内容を検出する原理を説明する。
本発明のリーダライタ部ＲＷ側のループ状のアンテナＡＮＴ１を第１アンテナとし、情報タグＴＦ側のループ状のアンテナＡＮＴ２を第２アンテナとすると、第１および第２アンテナが向き合い、第１アンテナに流れる電流により発生した磁界が第２アンテナにより捕捉される際に、第１アンテナに流れる電流の変化に対応してこの電流の作る磁界が変化する。これにより第２アンテナを貫く磁束に変化が生じ、相互誘導によって第２アンテナに起電力が発生する。第２アンテナに発生する起電力Ｖ２は、第１アンテナの電流Ｉ１の変化に比例し、Ｍを相互インダクタンスとした同調条件下において
Ｖ２＝Ｍ（ｄＩ１／ｄｔ）
で示され、第２アンテナを流れる電流Ｉ２は、接続された回路特性に依存する。
一方、情報タグＴＦの第２アンテナには、負荷インピーダンスとして抵抗やリアクタンス（誘導性リアクタンスωＬまたは容量性リアクタンス１／ωＣ）が接続可能であり、且つ、この負荷インピーダンスの第２アンテナへの断続は、情報タグＴＦの備えるメモリ手段の内容（「１」か「０」）によって制御される。
【００８０】
ａ。第１の検出原理：
上記のようにリーダライタ部ＲＷを１次側とし、このリーダライタ部ＲＷと相互誘導により誘導結合された情報タグＴＦを２次側として、２次側の総インピーダンスがＺであるとき、図４に示される誘導結合４端子網として扱うことができる。ここで１次側において測定されるインピーダンスＺｉｅは、以下のように算出される。
ωを角周波数、リーダライタ部ＲＷのアンテナＡＮＴ１のインダクタンスをＬ１、起電力をＶ１、電流をＩ１、また情報タグＴＦのアンテナＡＮＴ２のインダクタンスをＬ２、起電力をＶ２、電流をＩ２、さらにアンテナＡＮＴ１とアンテナＡＮＴ２の相互インダクタンスをＭとして、同調条件下で誘導起電力Ｖ１は、
Ｖ１＝ｊω＊Ｌ１＊Ｉ１＋ｊω＊Ｍ＊Ｉ２
であり、
また誘導起電力Ｖ２は、
Ｖ２＝ｊω＊Ｍ＊Ｉ１＋ｊω＊Ｌ２＊Ｉ２
である。
ここで、電流Ｉ２の方向が逆になることから、
Ｖ２＝−Ｚ＊Ｉ２
となる。
【００８１】
以上から、リーダライタ部ＲＷ側のインピーダンスＺｉｅは、記号「＊＊」を２乗として、第１項としてのｊω＊（Ｌ１−Ｍ＊＊２／Ｌ２）と、第２項としてのｊω＊（Ｍ＊＊２）＊Ｚ／Ｌ２＊（Ｚ＋ｊω＊Ｌ２）の和となる。
ここで、
ｕ２＝Ｌ２／ｊω＊（Ｍ＊＊２）
さらに、
ｕ３＝（Ｌ２＊＊２）／Ｚ＊（Ｍ＊＊２）
として前記第２項を変形すると、１／（ｕ２＋ｕ３）となる。
したがって、前記第１項をｕ１とすると、リーダライタ部ＲＷ側のインピーダンスＺｉｅは、
Ｚｉｅ＝ｕ１＋１／（ｕ２＋ｕ３）
となる。
この結果、図４に示される誘導結合４端子網の等価回路を図５のように示すことができる。
【００８２】
情報タグＴＦ側のインピーダンスＺを、メモリ手段の内容（「１」か「０」のうちのいずれか一方、例えば「１」）に応じて無限インピーダンスとするよう回路を制御する場合は、
ｕ３＝（Ｌ２＊＊２）／Ｚ＊（Ｍ＊＊２）
の項が無限小となり、よってメモリ手段の「１」の状態は、リーダライタ部ＲＷ側でインピーダンス
Ｚｉｅ１＝ｊω＊Ｌ１
として観測される。
一方、情報タグＴＦ側のインピーダンスＺを、メモリ手段の内容（「１」か「０」のうちのいずれか一方、例えば「０」）に応じてゼロインピーダンスとする場合は、
１／（ｕ２＋ｕ３）
の項が無限小となり、よってメモリ手段の「０」の状態は、リーダライタ部ＲＷ側でインピーダンス
Ｚｉｅ０＝ｊω＊（Ｌ１−Ｍ＊＊２／Ｌ２）
として観測される。これは、アンテナＡＮＴ１とアンテナＡＮＴ２の結合定数ｋ
ｋ＊＊２＝Ｍ＊＊２／Ｌ１＊Ｌ２
を用いて、
Ｚｉｅ０＝ｊω＊Ｌ１＊（１−ｋ＊＊２）
として示される。
このように、情報タグＴＦ側のメモリ手段の「１」か「０」の状態は、リーダライタ部ＲＷ側で上記の異なるインピーダンス値Ｚｉｅ１、Ｚｉｅ０として観測されることにより、容易にメモリ手段の「１」か「０」の状態を検出することができる。
【００８３】
さらに、情報タグＴＦ側のインピーダンスＺをゼロから無限大の間の任意の異なる値に切り換える構成とすることで、夫々に対応した異なるインピーダンス値Ｚｉｅとして観測することができる。このように、相互誘導により２次側（情報タグＴＦ側）の負荷Ｚに応じて１次側（リーダライタ部ＲＷ側）のインピーダンスＺｉｅが変化するから、この１次側のインピーダンスＺｉｅ変化を検出することにより、情報タグＴＦ側の状態を検出できる。
【００８４】
ｂ。第２の検出原理：
つぎに、上記の誘導結合４端子網に１次側のみから電力供給する構成とすることにより、リーダライタ部ＲＷの電力供給回路には誘導結合４端子網全体が負荷となり、負荷のインピーダンスＺｉｅの変化に伴い供給する電力が変動する。よってリーダライタ部ＲＷにおいてこの供給電力の変動を検出することにより、情報タグＴＦのメモリ手段の内容の検出が可能になる。
【００８５】
ｃ。第３の検出原理：
情報タグＴＦ側のアンテナＡＮＴ２に、リーダライタ部ＲＷ側のアンテナＡＮＴ１から電磁波が入射し、電磁誘導により情報タグＴＦ側に誘導電流が発生すると、それが再びアンテナＡＮＴ２から電磁波を放出するが、これは電磁波のアンテナＡＮＴ２による後方散乱または反射（以降、反射として記載）としてリーダライタ部ＲＷ側で観測される。しかもこの反射率は情報タグＴＦのアンテナインピーダンスに依存し、またアンテナインピーダンスは回路の状態に依存するから、リーダライタ部ＲＷは観測された反射波によって情報タグＴＦの回路の状態を知ることができる。したがって、情報タグＴＦのアンテナインピーダンスをメモリ手段の内容に対応して変化させる構成とすることにより、リーダライタ部ＲＷは観測された反射波によって情報タグＴＦのメモリ手段の内容を検出することができる。
【００８６】
上記第２または第３の検出原理に関してさらに説明すると、情報タグＴＦの状態の変化によりアンテナＡＮＴ２の共振周波数が変化してシフトする場合と、共振周波数が変化しない場合がある。
共振回路の電流はインピーダンスＺの関数であり、インピーダンスＺは抵抗Ｒ、インダクタンスＬ、キャパシタンスＣの関数である。例えばアンテナ共振回路の等価回路が、抵抗Ｒ、インダクタンスＬ、キャパシタンスＣの直列接続で近似される場合のインピーダンスＺは、抵抗Ｒの二乗と、誘導性リアクタンスωＬと容量性リアクタンス１／ωＣの差の二乗との和の根号となる。
この共振回路のＱ値（クオリティーファクタ）は、誘導電流の絶対値の２乗の特性曲線の、共振点（共振周波数ω０）におけるピーク値と半値幅で決まり、よってＱ値は抵抗Ｒ、インダクタンスＬ、キャパシタンスＣに依存する。なお誘導電流の絶対値の２乗は、複素数表示において共軛複素数の積として求められる。一方、この等価回路の共振周波数ω０はインダクタンスＬとキャパシタンスＣの積の根号の逆数であり、よってインダクタンスＬとキャパシタンスＣに依存し、抵抗Ｒに依存しない。共振時に、インピーダンスＺは純抵抗となり、極小値をとり、共振電流は極大値をとる。
【００８７】
上記の特性に基づいて、アンテナＡＮＴ２側の共振回路の抵抗Ｒをメモリ手段の内容（「１」か「０」）に対応させて変化させる構成とする場合は、共振周波数ω０は移動せず、共振点における電流のピーク値と半値幅（したがってＱ値）が変化する。この変化は前記のように誘導結合下でアンテナＡＮＴ２側へ電磁波を介してエネルギを付与するアンテナＡＮＴ１側の送信電力の変化として検出可能となる。従ってこの検出結果により、メモリ手段の内容（「１」か「０」）の検出が可能になる。
【００８８】
一方、インダクタンスＬやキャパシタンスＣを有する負荷を、例えばメモリ手段の内容（「１」か「０」）に対応させてアンテナＡＮＴ２に断続させるよう構成する場合は、アンテナＡＮＴ２側の共振回路のインピーダンス中の誘導性リアクタンスωＬまたは容量性リアクタンス１／ωＣの変化で共振周波数ω０がω０’へシフトする。したがってこの場合は、情報タグＴＦ側のアンテナＡＮＴ２内において、リーダライタ部ＲＷから発射された周波数ω０の電磁波による電流の定在波比が増大することにより再放射電力が増加し、一方においてアンテナＡＮＴ２から負荷への給電電力が減少し、この結果としてアンテナＡＮＴ２はリーダライタ部ＲＷから発射された周波数ω０の電磁波の反射装置として機能し、反射波を放出する。リーダライタ部ＲＷはこの反射波を検出することにより、情報タグＴＦのメモリ手段の内容を検出することができる。
或いはリーダライタ部ＲＷは、上記のように情報タグＴＦ側でメモリ手段の内容に応じて共振周波数のシフトが生じた際に、発射する電磁波の周波数ω０をω０’へシフトさせて情報タグＴＦ側での吸収を検出することにより、情報タグＴＦのメモリ手段の内容を検出することができる。
【００８９】
ｄ。第４の検出原理：
上記の各原理は、誘導結合４端子網として取り扱いがなされるように、１次側のリーダライタ部ＲＷから情報タグＴＦへ電力供給するとともに、相互誘導によりリーダライタ部ＲＷへ情報タグＴＦを誘導結合した状態で、情報タグＴＦにおけるメモリ手段の内容を検出するものであり、よって情報タグＴＦが自ら電磁波を発射することにより情報を発信するものではなかった。これに対して、情報タグＴＦにおいて情報を載せた電磁波を自ら発射することによりリーダライタ部ＲＷに受信させ、よってリーダライタ部ＲＷに情報を伝達することができる。
【００９０】
この場合、情報タグＴＦは独立した電磁波発射機能を備え、リーダライタ部ＲＷから供給される電力を利用するか、または別途の電源を準備して、リーダライタ部ＲＷへ向けて独自に電磁波を発射する。リーダライタ部ＲＷはこの電磁波を受信して情報を抽出することにより、情報タグＴＦのメモリ手段の内容を得ることができる。
【００９１】
本発明は、少なくとも上記の各原理のうちの任意の原理を適用した構成とすることができる。
【００９２】
図６は、図１に示される情報管理システムＩｍｓ１の端末装置の動作フローチャートである。以下、同図に基づいて情報管理システムＩｍｓ１の動作を説明する。
端末装置Ｔｎｒのオンラインモード作動指示手段Ｍоｌは、ステップＳ６０１で、入力手段Ｉｐｔからの指令か、または情報タグＴＦへの記録の頻度等を検査し、検査の結果に基づいて、オンライン作動指示を発行する時期であるか否かを判断する。ここでオンライン作動指示を発行する時期でないと判断されると、制御手段Ｃｔｒ１１へそれを通知する。
制御手段Ｃｔｒ１１はオフラインモードを継続し、ここで情報タグＴＦのアクセス指示が入力手段Ｉｐｔ等から入ると（ステップＳ６０２）、ローカルで処理する。
【００９３】
アクセス指示が、情報タグＴＦへの新規の記録または更新記録か、または再生かを確認し（ステップＳ６０３）、新規の記録または更新記録であると、情報種別やアドレス指定をした記録指示と、記録すべき情報をリーダライタ部ＲＷへ付与し、リーダライタ部ＲＷはこれを情報タグＴＦの記憶手段Ｍｅｍの然るべき領域に記録する（ステップＳ６０５）。
一方、アクセス指示が再生であると、その情報種別やアドレス指定をした再生指示をリーダライタ部ＲＷへ付与し、リーダライタ部ＲＷはこれに基づき情報タグＴＦの記憶手段Ｍｅｍの然るべき領域から所望の情報を再生する（ステップＳ６０４）。制御手段Ｃｔｒ１１は、リーダライタ部ＲＷから再生情報を受けると、何れも不図示の表示器へ表示するか、インタフェース回路を介して他の機器へ送付する。
【００９４】
ステップＳ６０１で、オンラインモード作動指示手段Ｍоｌによってオンライン作動指示を発行する時期であると判断されると、オンラインモード作動指示を発行し（ステップＳ６０６）、それを制御手段Ｃｔｒ１１、交信管理手段Ｍｃｃ、リーダライタ部ＲＷへ送付する。
オンラインモード作動指示を受けて、制御手段Ｃｔｒ１１はオフラインモードを停止しオンラインモードに切り換える。交信管理手段Ｍｃｃは回線接続の手続きに入り、回線Ｎｅｔが空き状態となって接続完了するまで手続操作を継続する（ステップＳ６０７）。
【００９５】
回線接続が完了すると、交信管理手段Ｍｃｃは制御手段Ｃｔｒ１１へ通知し、制御手段Ｃｔｒ１１はリーダライタ部ＲＷを駆動して、情報タグＴＦの記憶手段Ｍｅｍへそれまでに為された更新記録分または新規記録分を逐次読出し（ステップＳ６０８）、交信管理手段Ｍｃｃおよび回線Ｎｅｔを経て集中ファイル部Ｆｌｅへ送出する（ステップＳ６０９）。集中ファイル部Ｆｌｅではこれを受けて、制御手段Ｃｔｒ１２が記録手段Ｈｄへ記録する。
端末装置Ｔｎｒは、上記の読出しと送出を、対象とする全ての情報タグＴＦにつき実行し（ステップＳ６１０）、これが完了すると回線を断って再度、オフラインモードへ復帰する。
【００９６】
また図示されないが、上記のオンラインモード中に、集中ファイル部Ｆｌｅの記録手段Ｈｄに記録された情報を読出し、回線Ｎｅｔを経て端末装置Ｔｎｒへ送り、リーダライタ部ＲＷを介して情報タグＴＦに記録することもできる。これは故障等で情報が消失した情報タグＴＦの復元または新規の情報タグＴＦの設定に有効である。
さらに、上記のオンラインモード中にも、現場側で発生した情報をリーダライタ部ＲＷを駆動して情報タグＴＦに記録することもできる。
【００９７】
上記のように、現場側（端末装置及び情報タグ側）では情報タグＴＦによる現場側ファイルを形成させ、常時作動させるから、現場側での情報収集と即時処理と、すべての情報の記録保持が常時、かつ即時に可能になる。とりわけ任意の時期に常時発生するアクティブ情報（たとえば第２種別情報）を全て、現場側ファイルに記録保持できる。
すなわち現場側にあって、発生する情報を、回線経由で集中ファイル部Ｆｌｅをアクセスすることなく、情報タグＴＦへ更新記録または新規記録する。このように、オフラインモードまたはオンラインモードを問わず発生する情報をその都度、情報タグＴＦへ更新記録または新規記録し蓄積するから、情報タグＴＦには常にアクティブな情報が全て記録保持され、情報の逸失やロス発生のない管理ができる。しかも回線を経由することなく、常時発生するアクティブ情報の記録が為されるので、情報の記録時に回線に負荷を与えることがない。
【００９８】
また各情報タグＴＦには、添設されている物品Ｍａｔの全ての情報が記録されているから、現場側で情報読出しが必要な場合、集中ファイル部Ｆｌｅをアクセスすることなく、現場側ファイルである各情報タグＴＦをアクセスすればよい。この結果、オンライン主体概念による従来構成におけるような、とりわけ情報読み出し要求の発生の度に回線経由のオンライン接続でマスターファイルからその都度再生して伝送するような構成において発生しがちであった、回線ビジー時の待ち時間発生による処理の遅延を、本発明のシステムでは回避でき、また頻繁な回線接続手続のオーバーヘッドによる効率低下を排除できる。
このように集中ファイル部Ｆｌｅのアクセスのための回線コストを要さず、コスト削減が可能になるとともに、ネットワークの負荷を軽減でき、また操作を簡素化できる。
【００９９】
しかも回線故障等で集中ファイル部Ｆｌｅがアクセス不能時でも、現場側では現場側ファイルから常時、情報を得ることができる。
さらに、情報タグＴＦを新規に参加させ、または既存の情報タグＴＦの削除が容易であり、これと同時に、情報タグＴＦが添設された物品Ｍａｔ自体の新規参加、または削除が可能になるから、これにより前掲のＰＯＭ（ポイント・オブ・マネジメント）を実現することができる。
すなわち現場側は情報の収集と処理をし、また物品自体の整理を実行して、ＰＯＰ（ポイント・オブ・プロセシング）とＰＯＭの両機能を実現する。
【０１００】
また、上記の構成によれば、各物品Ｍａｔ毎に情報を添設の情報タグＴＦに集中保管し、他の情報タグに分散させないから、オフライン時のアクセス（記録・追記・更新・再生）か、オンライン時の上位側ファイル（集中ファイル部Ｆｌｅ）への転記を効率的かつ極めて容易な操作で実行でき、また不正な情報の混入を排除して、信頼性を向上させることができる。
【０１０１】
また、オンラインモードの開始を端末装置Ｔｎｒによって制御するが、端末装置Ｔｎｒは情報が発生する現場側に置かれて各情報タグＴＦへの記録状況を最も良く把握しているから、現場側に置かれた情報タグＴＦへの記録状況等から判断した最良のタイミングにオンライン作動指示ができ、集中ファイル部Ｆｌｅへの効率的な転記ができる。
ここで集中ファイル部Ｆｌｅへの転記はオンラインモードで回線Ｎｅｔ経由で為されるが、オンラインモードはオンラインモード作動指示が発行された際にのみ作動するから、オンラインモードを間欠的に作動させることにより、回線Ｎｅｔの負荷を極力軽減するようにでき、また高い伝送効率を維持できる。
【０１０２】
一方、上位側ファイルである集中ファイル部Ｆｌｅには、最近の現場側ファイル、すなわち各情報タグＴＦの記録内容と同様の情報が記録されることになるから、上位側に属する他の機器やシステムが情報を必要とする場合、集中ファイル部Ｆｌｅをアクセスして情報を読み出せばよく、回線Ｎｅｔを経由して現場側の情報タグＴＦをアクセスする必要がない。これにより上位側において迅速かつ低コストで情報入手ができる。
そして現場側の各情報タグＴＦの保持する情報と、上位側の集中ファイル部Ｆｌｅの保持する情報とが対応するから、現場側ファイルと上位側ファイルの何れか一方がダウンしても、他方がバックアップして、システム全機能の停止を回避し、システム機能を維持できる。さらに消失したファイル復元が容易である。
【０１０３】
なお、実際の操作につき説明すると、情報タグＴＦとリーダライタ部ＲＷ間で情報授受がなされる場合に、非接触型では少なくともリーダライタ部ＲＷが形成させる電磁界に情報タグＴＦが感応する領域内に情報タグを位置させる必要がある。したがって情報タグＴＦとリーダライタ部ＲＷとを相対的に接近させて、形成された電磁界に情報タグＴＦが感応するようにする。
通常、静止位置にある、情報タグＴＦが添設された物品Ｍａｔに例えばハンディ式のリーダライタ部ＲＷを移動して接近させるか、または据え置き型リーダライタ部ＲＷに情報タグＴＦ（具体的には情報タグＴＦが添設された物品Ｍａｔ）を移動して接近させる操作が実行される。これら操作は例えば、操作者が何れか一方に他方を「かざす」操作をすることにより実行される。これにより情報タグＴＦが電磁界に感応してリーダライタ部ＲＷとの間で情報授受がなされる。また、この情報授受および情報タグＴＦ内の情報処理は接近感応操作が継続している期間のみ実行可能となる。
【０１０４】
従来のＩＣタグ（またはバーコード式タグ）では、一度の接近感応操作で品番や価格といった固定情報の再生がなされるのみであったが、本実施形態のシステムにおける情報タグＴＦは、一度の接近感応操作中に、情報タグＴＦに記録・保管している第１種別情報（存在情報）の再生および送出と、この存在情報を受けて確認したリーダライタ部ＲＷから直ちに送出されるコマンドの受理・解析と、第２種別情報（状態情報や応用情報）の受理と所定の記録手段への記録が全て為される。したがって何度も接近感応操作を実行する必要がない。
または一度の接近感応操作中に、情報タグＴＦに記録・保管している存在情報の再生および送出と、この存在情報を受けて確認したリーダライタ部ＲＷから直ちに送出されるコマンドの受理・解析と、情報タグＴＦに記録・保管している状態情報や応用情報の再生と送出が全て為される。したがって何度も接近感応操作を実行する必要がない。
【０１０５】
ところで、前記の実施形態ではオンラインモードの開始（トリガ）を、情報タグへの記録状況を勘案して端末装置側が発行するものであったが、前記のようにオンラインモードの作動には回線確保が重要な条件となる。そこで回線確保に着目してオンラインモードの開始（トリガ）を行う構成が、以下に示す実施形態として提案される。
【０１０６】
図７は、本発明に係る情報管理システムの、このような構成の実施形態のブロック構成図である。なお前記実施形態におけると同じ部分には前記と同一符号を付けて、前記説明を援用する。
本実施形態の情報管理システムＩｍｓ７は、少なくとも１基の情報タグＴＦと、端末装置Ｔｎｒ７と、集中ファイル部Ｆｌｅ７を備える。さらに端末装置Ｔｎｒ７と集中ファイル部Ｆｌｅ７は、回線Ｎｅｔを介して接続されている。
情報タグＴＦは物品Ｍａｔに添設されて事実上は物品Ｍａｔに一体化されており、情報タグＴＦが内蔵する記憶手段Ｍｅｍには、前掲の第１種別情報ｉｓｊ１、第２種別情報ｉｓｊ２が再生可能に記録される。
【０１０７】
端末装置Ｔｎｒ７は、リーダライタ部ＲＷと、キーボードやスイッチを有する入力手段Ｉｐｔと、ストアード・プログラム方式で動作する、不図示の超小型演算処理装置（マイクロプロセッサ・ユニット）または論理処理回路を具備し、さらにこれらによって読取りおよび実行可能なプログラムとして少なくともその一部が構成される、制御手段Ｃｔｒ７１と、交信管理手段Ｍｃｃと、集中ファイル部Ｆｌｅ７から送付されるオンライン作動指示を受けてオンラインモード作動を開始させるモード指示処理手段Ｍоｌ７が準備されている。
これらプログラムは前記実施形態におけると同様に、ＲＯＭ、ＥＥＰＲＯＭ、フラッシュメモリ、ＳＲＡＭ等の各種メモリ格納する。
【０１０８】
集中ファイル部Ｆｌｅ７は回線Ｎｅｔに接続され、ハード磁気ディスク装置による記録手段Ｈｄと、ストアード・プログラム方式で動作する不図示の超小型演算処理装置（マイクロプロセッサ・ユニット）または論理処理回路を具備し、さらにこれらによって読取りおよび実行可能なプログラムとして少なくともその一部が構成される制御手段Ｃｔｒ７２と、指示付与手段Ｄо７を備えている。制御手段Ｃｔｒ７２は集中ファイル部Ｆｌｅ７全体の動作を制御し、且つ回線Ｎｅｔの制御機能および交信機能を備える。また指示付与手段Ｄо７は、回線Ｎｅｔの空き状態などを勘案してオンライン作動指示を発行する。このオンライン作動指示は、制御手段Ｃｔｒ７２によって集中ファイル部Ｆｌｅ７の動作制御に供せられるとともに、端末装置Ｔｎｒ間に回線確保がなされた後に、制御手段Ｃｔｒ７２によって端末装置Ｔｎｒのモード指示処理手段Ｍоｌ７へ送付される。
【０１０９】
図８は、図７に示される情報管理システムの集中ファイル部の動作フローチャートである。
集中ファイル部Ｆｌｅ７の指示付与手段Ｄо７は、ステップＳ８０１で、回線Ｎｅｔの空き状態等を検査し、検査の結果に基づいて、オンライン作動指示を発行する時期であるかを判断する。ここでオンライン作動指示を発行する時期であると判断されると、オンライン作動指示を発行する（ステップＳ８０２）。発行したオンライン作動指示を受けて制御手段Ｃｔｒ７２は回線接続の手続きに入り、回線接続完了までループする（ステップＳ８０３）。回線接続が完了すると、制御手段Ｃｔｒ７２はオンライン作動指示を回線Ｎｅｔ経由で端末装置Ｔｎｒ７のモード指示処理手段Ｍоｌ７へ伝送する。
【０１１０】
やがて端末装置Ｔｎｒ７から、記録手段Ｈｄへ記録すべき情報が回線Ｎｅｔ経由で送られてくると、制御手段Ｃｔｒ７２はこれを受信し（ステップＳ８０４）、記録手段Ｈｄへ記録する（ステップＳ８０５）。さらに制御手段Ｃｔｒ７２は端末装置Ｔｎｒ７から送付される情報が終了したかをチェックし、情報の送付がさらに継続するとステップＳ８０４に戻り記録手段Ｈｄへの記録を継続する。送付される情報の終了を確認すると、この処理動作を了える。
また図示されないが、上記のオンラインモード中に、集中ファイル部Ｆｌｅ７の記録手段Ｈｄに記録された情報を読出し、回線Ｎｅｔを経て端末装置Ｔｎｒ７へ送り、リーダライタ部ＲＷを介して情報タグＴＦに記録することもできる。これは故障等で情報が消失した情報タグＴＦの復元または新規の情報タグＴＦの設定に有効である。
【０１１１】
上記のように、本実施形態によれば、現場側で現場側ファイルとして情報タグＴＦを使い、同じ情報を管理するとともに、上位側でも集中ファイル部Ｆｌｅ７を上位側ファイルとして同じ情報を管理する。
そしてオンラインモードの開始を集中ファイル部Ｆｌｅ７によって制御するが、集中ファイル部Ｆｌｅ７は回線Ｎｅｔを管理できることで回線Ｎｅｔの状況を最も良く把握しているから、指示付与手段Ｄо７はオンライン送付をすべきタイミングの判断が的確にでき、回線使用の観点から最良のタイミングにオンライン指示を発行することによって、集中ファイルの効果的な更新処理を遂行できる。ここで集中ファイル部Ｆｌｅ７への転記はオンラインモードで回線Ｎｅｔ経由で為されるが、オンラインモードは指示付与手段Ｄо７によってオンライン作動指示が発行された際にのみ作動するから、オンラインモードを間欠的に作動させることにより、回線Ｎｅｔの負荷を極力軽減するようにでき、また高い伝送効率を維持できる。
なお、その他の効果と利点は前記実施形態におけると同じであり、よって前記説明を援用する。
【０１１２】
ところで、集中ファイル部を更新するため情報タグからオンライン時に集中ファイル部へ送るのは、情報タグへ更新記録された内容か、新規記録された内容のみでよい。したがって集中ファイル部へ送る際に、すべての情報タグが対象にはならないから、すべての情報タグをアクセスするのは無駄が多い。この改善を行う構成が、以下に示す実施形態として提案される。
【０１１３】
図９は、本発明に係る情報管理システムの、このような構成の実施形態のブロック構成図である。なお前記実施形態におけると同じ部分には前記と同一符号を付けて、前記説明を援用する。
本実施形態の情報管理システムＩｍｓ９は、少なくとも１基の情報タグＴＦと、端末装置Ｔｎｒ９と、集中ファイル部Ｆｌｅを備える。さらに端末装置Ｔｎｒ９と集中ファイル部Ｆｌｅは、回線Ｎｅｔを介して接続されている。
情報タグＴＦは物品Ｍａｔに添設されて事実上は物品Ｍａｔに一体化されており、情報タグＴＦが内蔵する記憶手段Ｍｅｍには、前掲の第１種別情報ｉｓｊ１、第２種別情報ｉｓｊ２が再生可能に記録される。
【０１１４】
端末装置Ｔｎｒ９は、リーダライタ部ＲＷと、入力手段Ｉｐｔと、ストアード・プログラム方式で動作する、不図示の超小型演算処理装置（マイクロプロセッサ・ユニット）または論理処理回路を具備し、さらにこれらによって読取りおよび実行可能なプログラムとして少なくともその一部が構成される、制御手段Ｃｔｒ９１と、交信管理手段Ｍｃｃと、オンラインモード作動指示手段Ｍоｌと、リスト編成管理手段Ｍｌｓｔが準備されている。制御手段Ｃｔｒ９１は端末装置Ｔｎｒ９全体の動作の制御を司る。リスト編成管理手段Ｍｌｓｔは、更新記録または新規記録が施された各情報タグＴＦの情報を管理し、これら記録がなされた各情報タグＴＦの一覧リストＬｓｔを作成する。
これらプログラムは前記実施形態におけると同様に、ＲＯＭ、ＥＥＰＲＯＭ、フラッシュメモリ、ＳＲＡＭ等の各種メモリ格納する。また一覧リストＬｓｔはＥＥＰＲＯＭ、フラッシュメモリ、ＳＲＡＭ等の不揮発性メモリに記録され、制御手段Ｃｔｒ９１またはリーダライタ部ＲＷにより参照される。
【０１１５】
集中ファイル部Ｆｌｅは回線Ｎｅｔに接続され、ハード磁気ディスク装置による記録手段Ｈｄと、ストアード・プログラム方式で動作する不図示の超小型演算処理装置（マイクロプロセッサ・ユニット）または論理処理回路を具備し、さらにこれらによって読取りおよび実行可能なプログラムとして少なくともその一部が構成される制御手段Ｃｔｒ９２を備えている。制御手段Ｃｔｒ９２は前記実施形態の制御手段Ｃｔｒ１２と略同様であり、集中ファイル部Ｆｌｅ全体の動作を制御し、且つ回線Ｎｅｔの制御機能および交信機能を備える。
【０１１６】
図１０は、図９に示される情報管理システムＩｍｓ９の端末装置Ｔｎｒ９の動作フローチャートである。以下、同図に基づいて情報管理システムＩｍｓ９の動作を説明する。
端末装置Ｔｎｒ９のオンラインモード作動指示手段Ｍоｌは、ステップＳ１００１で、入力手段Ｉｐｔからの指令か、または情報タグＴＦへの記録の頻度等を検査し、検査の結果に基づいて、オンライン作動指示を発行する時期であるか否かを判断する。ここでオンライン作動指示を発行する時期でないと判断されると、制御手段Ｃｔｒ９１へそれを通知する。
制御手段Ｃｔｒ９１はオフラインモードを継続し、ここで情報タグＴＦのアクセス指示が入力手段Ｉｐｔ等から入ると（ステップＳ１００２）、ローカルで処理する。
【０１１７】
アクセス指示が、情報タグＴＦへの新規の記録または更新記録か、または再生かを確認し（ステップＳ１００３）、新規の記録または更新記録であると、情報種別やアドレス指定をした記録指示と、記録すべき情報をリーダライタ部ＲＷへ付与し、リーダライタ部ＲＷはこれを情報タグＴＦの記憶手段Ｍｅｍの然るべき領域に記録する（ステップＳ１００５）。
ここで、上記の、情報タグＴＦへの新規の記録または更新記録を検知したリスト編成管理手段Ｍｌｓｔは、これら記録がなされた各情報タグＴＦのリストを一覧リストＬｓｔへ記録する（ステップＳ１００６）。
【０１１８】
一方、アクセス指示が再生であると、その情報種別やアドレス指定をした再生指示をリーダライタ部ＲＷへ付与し、リーダライタ部ＲＷはこれに基づき情報タグＴＦの記憶手段Ｍｅｍの然るべき領域から所望の情報を再生する（ステップＳ１００４）。制御手段Ｃｔｒ９１は、リーダライタ部ＲＷから再生情報を受けると、何れも不図示の表示器へ表示するか、インタフェース回路を介して他の機器へ送付する。
【０１１９】
ステップＳ１００１で、オンラインモード作動指示手段Ｍоｌによってオンライン作動指示を発行する時期であると判断されると、オンラインモード作動指示を発行し（ステップＳ１００７）、それを制御手段Ｃｔｒ９１、交信管理手段Ｍｃｃ、リーダライタ部ＲＷへ送付する。
オンラインモード作動指示を受けて、制御手段Ｃｔｒ９１はオフラインモードを停止しオンラインモードに切り換える。交信管理手段Ｍｃｃは回線接続の手続きに入り、回線Ｎｅｔが空き状態となって接続完了するまで手続操作を継続する（ステップＳ１００８）。
【０１２０】
回線接続が完了すると、交信管理手段Ｍｃｃは制御手段Ｃｔｒ９１へ通知し、制御手段Ｃｔｒ９１は一覧リストＬｓｔを参照して、読出の対象となる情報タグＴＦを決定する（ステップＳ１００９）。
ついでリーダライタ部ＲＷを駆動し、リーダライタ部ＲＷは上記リストの内容に基づいて、対象となった情報タグＴＦの記憶手段Ｍｅｍから、それまでに為された更新記録分または新規記録分を逐次読出し（ステップＳ１０１０）、交信管理手段Ｍｃｃおよび回線Ｎｅｔを経て集中ファイル部Ｆｌｅへ送出する（ステップＳ１０１１）。集中ファイル部Ｆｌｅではこれを受けて、制御手段Ｃｔｒ９２が記録手段Ｈｄへ記録する。
端末装置Ｔｎｒ９は、上記の読出しと送出を、対象とする全ての情報タグＴＦにつき実行し（ステップＳ１０１２）、これが完了すると回線を断って再度、オフラインモードへ復帰する。
【０１２１】
また図示されないが、上記のオンラインモード中に、集中ファイル部Ｆｌｅの記録手段Ｈｄに記録された情報を読出し、回線Ｎｅｔを経て端末装置Ｔｎｒ９へ送り、リーダライタ部ＲＷを介して情報タグＴＦに記録することもできる。これは故障等で情報が消失した情報タグＴＦの復元または新規の情報タグＴＦの設定に有効である。
さらに、上記のオンラインモード中にも、現場側で発生した情報をリーダライタ部ＲＷを駆動して情報タグＴＦに記録することもできる。
【０１２２】
上記のように、本実施形態によれば、オフライン時に情報の更新や追記があった情報タグＴＦか、または新規参加のあった情報タグＴＦを特定する一覧リストＬｓｔを端末装置Ｔｎｒ９で作成保管するようにし、オンラインモードを開始して集中ファイル部Ｆｌｅへ情報を送り転記する際に、この一覧リストＬｓｔを参照して必要な情報タグＴＦだけを選択的にアクセスすることにより、アクセス対象の情報タグを必要最小限にできて時間短縮でき、また重複発生を排除することができる。よって転記効率が向上するとともに、重複記録の発生を避けて情報の信頼性を向上させることができる。
なお、その他の効果と利点は前記実施形態におけると同じであり、よって前記説明を援用する。
【０１２３】
また、上記の実施形態は端末装置によるオンラインモード作動指示機能と、端末装置による一覧リストの管理機能を有する構成であったが、この他にも、図７及び図８で述べた集中ファアイル部によるオンラインモード作動指示機能と、端末装置による一覧リストの管理機能を組み合わせた構成も可能である。
【０１２４】
ところで、集中ファイル部を更新するためオンライン時にアクセスすべき情報タグを特定して効率的とする他の構成が、以下に示す実施形態として提案される。
【０１２５】
図１１は、本発明に係る情報管理システムの、このような構成の実施形態のブロック構成図である。なお前記実施形態におけると同じ部分には前記と同一符号を付けて、前記説明を援用する。
本実施形態の情報管理システムＩｍｓ１１は、少なくとも１基の情報タグＴＦ１１と、端末装置Ｔｎｒ１１と、集中ファイル部Ｆｌｅを備える。さらに端末装置Ｔｎｒ１１と集中ファイル部Ｆｌｅは、回線Ｎｅｔを介して接続されている。情報タグＴＦ１１は物品Ｍａｔに添設されて事実上は物品Ｍａｔに一体化されており、情報タグＴＦ１１が内蔵する記憶手段Ｍｅｍには、前掲の第１種別情報ｉｓｊ１、第２種別情報ｉｓｊ２に加えて、以下で説明される指標Ｉｄｘ１１が再生可能に記録される。また情報タグＴＦ１１は、記憶手段Ｍｅｍ以外の不揮発性メモリを備える構成とすることもできる。
【０１２６】
端末装置Ｔｎｒ１１は、リーダライタ部ＲＷと、入力手段Ｉｐｔと、ストアード・プログラム方式で動作する、不図示の超小型演算処理装置（マイクロプロセッサ・ユニット）または論理処理回路を具備し、さらにこれらによって読取りおよび実行可能なプログラムとして少なくともその一部が構成される、制御手段Ｃｔｒ１１１と、交信管理手段Ｍｃｃと、オンラインモード作動指示手段Ｍоｌと、指標管理手段Ｃｉｄｘが準備されている。制御手段Ｃｔｒ１１１は端末装置Ｔｎｒ１１全体の動作の制御を司る。指標管理手段Ｃｉｄｘは、更新記録または新規記録が施された各情報タグＴＦ１１へ、記録が施されたことを示すための指標Ｉｄｘ１１を記録する。
これらプログラムは前記実施形態におけると同様に、ＲＯＭ、ＥＥＰＲＯＭ、フラッシュメモリ、ＳＲＡＭ等の各種メモリ格納する。また指標Ｉｄｘ１１は情報タグＴＦ１１の記憶手段Ｍｅｍか、または情報タグＴＦ１１内の別の不揮発性メモリにリーダライタ部ＲＷにより記録／再生される。
【０１２７】
集中ファイル部Ｆｌｅは回線Ｎｅｔに接続され、ハード磁気ディスク装置による記録手段Ｈｄと、ストアード・プログラム方式で動作する不図示の超小型演算処理装置（マイクロプロセッサ・ユニット）または論理処理回路を具備し、さらにこれらによって読取りおよび実行可能なプログラムとして少なくともその一部が構成される制御手段Ｃｔｒ１１２を備えている。制御手段Ｃｔｒ１１２は前記実施形態の制御手段Ｃｔｒ１２と略同様であり、集中ファイル部Ｆｌｅ全体の動作を制御し、且つ回線Ｎｅｔの制御機能および交信機能を備える。
【０１２８】
図１２は、図１１に示される情報管理システムＩｍｓ１１の構成部分である情報タグＴＦ１１とリーダライタ部ＲＷのブロック構成図である。
前記図３で示された構成と差異がある部分は、情報タグＴＦ１１の制御手段Ｃｎｔ１１と、不揮発性のメモリ手段Ｍｅｍへ記録された指標Ｉｄｘ１１である。すなわちメモリ手段Ｍｅｍには、第１種別情報ｉｓｊ１と第２種別情報ｉｓｊ２に加え、指標Ｉｄｘ１１が記録される。制御手段Ｃｎｔ１１は、前記制御手段Ｃｎｔ１の機能に加え、指標Ｉｄｘ１１の書込／読出の機能を備える。他の構成と機能については前記説明を援用する。
【０１２９】
図１３は、図１１に示される情報管理システムＩｍｓ１１の端末装置Ｔｎｒ１１の動作フローチャートである。以下、同図に基づいて情報管理システムＩｍｓ１１の動作を説明する。
端末装置Ｔｎｒ１１のオンラインモード作動指示手段Ｍоｌは、ステップＳ１３０１で、入力手段Ｉｐｔからの指令か、または情報タグＴＦ１１への記録の頻度等を検査し、検査の結果に基づいて、オンライン作動指示を発行する時期であるか否かを判断する。ここでオンライン作動指示を発行する時期でないと判断されると、制御手段Ｃｔｒ１１１へそれを通知する。
制御手段Ｃｔｒ１１１はオフラインモードを継続し、ここで情報タグＴＦ１１のアクセス指示が入力手段Ｉｐｔ等から入ると（ステップＳ１３０２）、ローカルで処理する。
【０１３０】
アクセス指示が、情報タグＴＦ１１への新規の記録または更新記録か、または再生かを確認し（ステップＳ１３０３）、新規の記録または更新記録であると、情報種別やアドレス指定をした記録指示と、記録すべき情報に加え、さらに指標Ｉｄｘ１１をリーダライタ部ＲＷへ付与し、リーダライタ部ＲＷはこの記録すべき情報を情報タグＴＦの記憶手段Ｍｅｍの然るべき領域に記録する（ステップＳ１３０５）。
さらに、新規の記録または更新記録を示すための指標Ｉｄｘ１１を、情報タグ単位で記録する。すなわち新規の記録または更新記録がなされた情報タグＴＦ１１に、１個の指標Ｉｄｘ１１を記録する（ステップＳ１３０６）。
【０１３１】
一方、アクセス指示が再生であると、その情報種別やアドレス指定をした再生指示をリーダライタ部ＲＷへ付与し、リーダライタ部ＲＷはこれに基づき情報タグＴＦ１１の記憶手段Ｍｅｍの然るべき領域から所望の情報を再生する（ステップＳ１３０４）。制御手段Ｃｔｒ１１１は、リーダライタ部ＲＷから再生情報を受けると、何れも不図示の表示器へ表示するか、インタフェース回路を介して他の機器へ送付する。
【０１３２】
ステップＳ１３０１で、オンラインモード作動指示手段Ｍоｌによってオンライン作動指示を発行する時期であると判断されると、オンラインモード作動指示を発行し（ステップＳ１３０７）、それを制御手段Ｃｔｒ１１１、交信管理手段Ｍｃｃ、リーダライタ部ＲＷへ送付する。
オンラインモード作動指示を受けて、制御手段Ｃｔｒ１１１はオフラインモードを停止しオンラインモードに切り換える。交信管理手段Ｍｃｃは回線接続の手続きに入り、回線Ｎｅｔが空き状態となって接続完了するまで手続操作を継続する（ステップＳ１３０８）。
【０１３３】
回線接続が完了すると、交信管理手段Ｍｃｃは制御手段Ｃｔｒ１１１へ通知し、制御手段Ｃｔｒ１１１はリーダライタ部ＲＷを駆動し、逐次、情報タグＴＦ１１を検査する（ステップＳ１３０９）。この検査で指標Ｉｄｘ１１が検出されると（ステップＳ１３１０）、この情報タグＴＦ１１の記憶手段Ｍｅｍから、それまでに為された更新記録分または新規記録分を逐次読出し（ステップＳ１３１１）、交信管理手段Ｍｃｃおよび回線Ｎｅｔを経て集中ファイル部Ｆｌｅへ送出する（ステップＳ１３１２）。集中ファイル部Ｆｌｅではこれを受けて、制御手段Ｃｔｒ１１２が記録手段Ｈｄへ記録する。
【０１３４】
また記録手段Ｈｄへの記録が為される度に、アクノレッジ信号が制御手段Ｃｔｒ１１２から回線Ｎｅｔを経て制御手段Ｃｔｒ１１１へ送られるようにし、制御手段Ｃｔｒ１１１はこれを受けるとリーダライタ部ＲＷにより当該情報タグＴＦ１１に記録されている指標Ｉｄｘ１１を消去するように構成できる。これにより重複取込みの発生を回避できる。
【０１３５】
端末装置Ｔｎｒ１１は、上記の指標検出と読出しと送出を全ての情報タグＴＦにつき実行し（ステップＳ１３１３）、これが完了すると回線を断って再度、オフラインモードへ復帰する。
また図示されないが、上記のオンラインモード中に、集中ファイル部Ｆｌｅの記録手段Ｈｄに記録された情報を読出し、回線Ｎｅｔを経て端末装置Ｔｎｒ１１へ送り、リーダライタ部ＲＷを介して情報タグＴＦ１１に記録することもできる。これは故障等で情報が消失した情報タグＴＦ１１の復元または新規の情報タグＴＦ１１の設定に有効である。
さらに、上記のオンラインモード中にも、現場側で発生した情報をリーダライタ部ＲＷを駆動して情報タグＴＦ１１に記録することもできる。
【０１３６】
上記のように、本実施形態によれば、オフライン時に情報の更新や追記があった情報タグＴＦ１１か、または新規参加のあった情報タグＴＦ１１を特定する指標Ｉｄｘ１１を当該情報タグＴＦ１１へ記録するようにし、オンラインモードを開始して集中ファイル部Ｆｌｅへ情報を送り転記する際に、各情報タグＴＦ１１を検査して指標Ｉｄｘ１１が付された情報タグＴＦ１１のみから選択的に読み出すことにより、読出対象の情報タグＴＦ１１を必要なもののみにできて時間短縮でき、また重複発生を排除することができる。よって転記効率が向上するとともに、重複記録の発生を避けて情報の信頼性を向上させることができる。
なお、その他の効果と利点は前記実施形態におけると同じであり、よって前記説明を援用する。
【０１３７】
また、上記の実施形態は端末装置によるオンラインモード作動指示機能と、指標による管理機能を有する構成であったが、この他にも、図７及び図８で述べた集中ファアイル部によるオンラインモード作動指示機能と、指標による管理機能を組み合わせた構成も可能である。
【０１３８】
ところで、ひとつの情報タグに着目すると、記録されている全情報には以前から存在するものもあり、これら既存分に更新記録分や新規記録分が混在している。よってすべての情報を集中ファイル部へ送るのは無駄が多く、またその必要もない。そこで集中ファイル部を更新するため為されるオンライン時のアクセスを更に効率的とする他の構成が、以下に示す実施形態として提案される。
【０１３９】
本発明に係る情報管理システムの、このような構成の実施形態のブロック構成図は、前掲の図１１の構成において、指標管理手段Ｃｉｄｘと制御手段Ｃｔ
１１１の機能が前記の実施形態とは異なるが、ブロック構成図は略同様であり、煩雑をさけるため前掲の図１１を援用する。また各部の説明についても差異のある部分以外は前掲の説明を援用する。
本実施形態の指標管理手段Ｃｉｄｘは、情報タグＴＦ１１へ更新記録または新規記録が施された際に、その記録部分毎に、記録部分を特定するための指標Ｉｄｘ１４を記録する。また制御手段Ｃｔ１１１と共に、このように記録をし、また再生検出するようにリーダライタ部ＲＷを制御する。
【０１４０】
図１４は、本実施形態における情報管理システムの構成部分である情報タグＴＦ１４とリーダライタ部ＲＷのブロック構成図である。
前記図１２で示された構成と差異がある部分は、情報タグＴＦ１４の制御手段Ｃｎｔ１４と、不揮発性のメモリ手段Ｍｅｍへ記録された指標Ｉｄｘ１４である。すなわちメモリ手段Ｍｅｍには、制御手段Ｃｎｔ１４によって第１種別情報ｉｓｊ１と第２種別情報ｉｓｊ２に加え、指標Ｉｄｘ１４が記録され、しかもこの指標Ｉｄｘ１４は更新記録分や新規記録分ごとに夫々添付する。そして再生時に指標Ｉｄｘ１４が添付されている記録分のみが選択的に、制御手段Ｃｎｔ１４によって取り出される。
他の構成と機能については前記説明を援用する。
【０１４１】
図１５は、本情報管理システムの端末装置の動作フローチャートである。以下、同図に基づいて本情報管理システムの動作を説明する。
端末装置のオンラインモード作動指示手段は、ステップＳ１５０１で、入力手段からの指令か、または情報タグＴＦ１４への記録の頻度等を検査し、検査の結果に基づいて、オンライン作動指示を発行する時期であるか否かを判断する。ここでオンライン作動指示を発行する時期でないと判断されると、端末装置の制御手段へそれを通知する。
端末装置の制御手段はオフラインモードを継続し、ここで情報タグＴＦ１４のアクセス指示が入力手段等から入ると（ステップＳ１５０２）、ローカルで処理する。
【０１４２】
アクセス指示が、情報タグＴＦ１４への新規の記録または更新記録か、または再生かを確認し（ステップＳ１５０３）、新規の記録または更新記録であると、情報種別やアドレス指定をした記録指示と、記録すべき情報に加え、さらに指標Ｉｄｘ１４をリーダライタ部ＲＷへ付与し、リーダライタ部ＲＷはこの記録すべき情報を情報タグＴＦ１４の記憶手段Ｍｅｍの然るべき領域に記録する（ステップＳ１５０５）。
さらに、新規に記録した部分または更新記録した部分を示すための指標Ｉｄｘ１４を、記録部分の単位で記録する。すなわち１個の新規の記録または更新記録ごとに、１個の指標Ｉｄｘ１４を記録する（ステップＳ１５０６）。
【０１４３】
一方、アクセス指示が再生であると、その情報種別やアドレス指定をした再生指示をリーダライタ部ＲＷへ付与し、リーダライタ部ＲＷはこれに基づき情報タグＴＦ１４の記憶手段Ｍｅｍの然るべき領域から所望の情報を再生する（ステップＳ１５０４）。端末装置の制御手段は、リーダライタ部ＲＷから再生情報を受けると、何れも不図示の表示器へ表示するか、インタフェース回路を介して他の機器へ送付する。
【０１４４】
ステップＳ１５０１で、オンラインモード作動指示手段によってオンライン作動指示を発行する時期であると判断されると、オンラインモード作動指示を発行し（ステップＳ１５０７）、それを端末装置の制御手段、交信管理手段、リーダライタ部ＲＷへ送付する。
オンラインモード作動指示を受けて、端末装置の制御手段はオフラインモードを停止しオンラインモードに切り換える。交信管理手段は回線接続の手続きに入り、回線が空き状態となって接続完了するまで手続操作を継続する（ステップＳ１５０８）。
【０１４５】
回線接続が完了すると、交信管理手段は端末装置の制御手段へ通知し、制御手段はリーダライタ部ＲＷを駆動し、逐次、情報タグＴＦ１４を検査する（ステップＳ１５０９）。この検査で指標Ｉｄｘ１４が検出されると（ステップＳ１５１０）、この情報タグＴＦ１４の記憶手段Ｍｅｍから、指標Ｉｄｘ１４が添付されている、それまでに為された更新記録または新規記録を各記録分ごとに逐次読出し（ステップＳ１５１１）、交信管理手段および回線を経て集中ファイル部へ送出する（ステップＳ１５１２）。集中ファイル部ではこれを受けて記録手段へ記録する。
【０１４６】
また集中ファイル部の記録手段への記録が為される度に、アクノレッジ信号が集中ファイル部の制御手段から回線を経て端末装置の制御手段へ送られるようにし、端末装置の制御手段はこれを受けるとリーダライタ部ＲＷにより当該情報タグＴＦ１４の各記録部に記録されている指標Ｉｄｘ１４を消去するように構成できる。これにより重複取込みの発生を回避できる。
【０１４７】
上記のように、本実施形態によれば、オフライン時に情報の更新や追記があった情報タグＴＦ１４の、当該記録部分ごとに指標Ｉｄｘ１４を記録するようにし、オンラインモードを開始して集中ファイル部へ情報を送り転記する際に、各情報タグＴＦ１４を検査して指標Ｉｄｘ１４が検出された情報タグＴＦ１４の、しかも指標Ｉｄｘ１４が付された記録部分のみに限定し選択的に読み出すことにより、読出部分を必要なもののみにできて時間短縮でき、また重複発生を排除することができる。よって転記効率が向上するとともに、重複記録の発生を避けて情報の信頼性を向上させることができる。
なお、その他の効果と利点は前記実施形態におけると同じであり、よって前記説明を援用する。
【０１４８】
また、上記の実施形態は端末装置によるオンラインモード作動指示機能と、記録部分毎に指標を付する管理機能を有する構成であったが、この他にも、図７及び図８で述べた集中ファアイル部によるオンラインモード作動指示機能と、記録部分毎に指標を付する管理機能を組み合わせた構成も可能である。
【０１４９】
前記のように本発明は、その一つの実施の形態として、現場側と上位側それぞれにファイルを形成させ、現場側ファイルを一塊の情報タグにより構成し、現場側で常時発生するアクティブ情報をローカル（オフライン）で記録保管し、上位側ファイルを所謂マスストレージと称せられる記録装置により構成し、間欠的に回線接続してオンラインで現場側ファイルから更新情報を取込み、記録内容を更新することにより、両ファイルの内容を同期させるものである。さらに一覧リストや指標を用いて処理効率の向上を図る。
【０１５０】
したがって、オンラインモードでの作動から離脱中に発生する存在情報（固有情報）および状態情報（存在情報に基づき誘導された時間的・空間的に依存する情報）を記憶するメモリ機能を有し、且つオンラインモード時のアクセス機能を有する情報タグを一群の商品のそれぞれに貼付し、このオンラインモード時に上位側は一群の商品のうちのアクセス要求があった商品の情報タグとのみデマンド処理を行うようにすることにより、大量の商品群相手のオンデマンド処理を、簡単かつ小規模構成のシステムで効率的に実行することができる。
【０１５１】
以上詳説したように、本発明によれば以下の各利点が実現される。
１．現場側ファイルを形成させ、常時作動させるから、現場側での情報収集と即時処理と、すべての情報の記録保持が常時、かつ即時に可能になる。とりわけ任意の時期に常時発生するアクティブ情報を全て、現場側ファイルに記録保持できる。
２．現場側ファイルには全ての情報が記録されているから、現場側で情報読出しが必要な場合、上位側ファイルをアクセスすることなく、現場側ファイルをアクセスすればよい。回線コスト、回線負荷がなくなり、また操作を簡素化できる。
３．回線故障で上位側ファイルがアクセス不能時でも、現場側では現場側ファイルから情報を得ることができる。
４．情報タグの新規参加、または削除が可能になると同時に、情報タグが添設された物品自体の参加、または削除が可能になり、ＰＯＭが実現される。
５．各物品毎に情報を添設の情報タグに集中保管し、その物品の情報を他の情報タグに記録しないから、オフライン時のアクセス（記録・追記・更新・再生）か、オンライン時の上位側ファイルへの転記を効率的かつ極めて容易な操作で実行でき、また或る情報タグから転記時に他の物品に属する情報が混入することがなく、信頼性を向上できる。
【０１５２】
６．上位側ファイルへの転記はオンラインモードで回線経由で為されるが、オンラインモードを間欠的に作動させることにより、回線負荷を軽減でき、また高い伝送効率の維持が可能になる。
７．オンラインモードの開始を端末装置によって制御することにより、現場側に置かれた情報タグへの記録状況から判断した最良のタイミングにオンライン作動指示ができ、上位側ファイルへの効率的な転記ができる。
８．または、オンラインモードの開始を上位側ファイルによって制御することにより、回線の管理状況から判断した最良のタイミングにオンライン作動指示ができ、上位側ファイルへの効率的な転記ができる。
９．情報の更新や追記があった情報タグか、新規参加のあった情報タグを特定する一覧リストを端末装置で作成保管する構成では、オンラインモードの開始で上位側ファイルへ転記する際に、この一覧リストに載った情報タグのみをアクセスすることで、アクセス対象の情報タグを必要最小限にできて時間短縮でき、また重複発生を排除でき、よって転記効率の向上と情報の信頼性向上を実現する。
【０１５３】
１０．情報の更新や記録があった情報タグ内か、新規参加した情報タグ内に、それらの発生を示す指標を記録し、オンラインモードの開始で上位側ファイルへの転記時にこの指標の有無を検査し、指標のあった情報タグのみから情報を受ける構成の場合は、転記対象を必要最小限にできて時間短縮でき、また重複転記の発生を排除でき、よって転記効率の向上と情報の信頼性向上を実現する。
１１．情報タグ内の、情報の更新や記録があった部分ごとに指標を添付し、オンラインモードの開始で上位側ファイルへの転記時にこの指標のあった情報タグの、この指標の付いた記録部分のみを読み出す構成の場合は、転記対象のみならず転記部分をも必要最小限にできて時間短縮でき、また重複転記の発生を排除でき、よってさらなる転記効率の向上と情報の信頼性向上を実現する。
１２．上位側ファイルには、最近の現場側ファイルの記録内容と同様の情報が記録されているから、上位側に属する他の機器やシステムが情報を必要とする場合、上位側ファイルをアクセスして情報を読み出せばよく、回線経由で現場側の情報タグをアクセスする必要がない。これにより上位側において迅速かつ低コストで情報入手ができる。
１３．現場側ファイルと上位側ファイルの何れか一方がダウンしても、他方がバックアップして、システム全機能の停止を回避し、システム機能を維持できる。さらに消失したファイル復元が容易である。
【０１５８】
【発明の効果】
本発明の請求項１の情報管理システムは、オフライン時に更新記録または新規記録を施した情報タグを特定する一覧リストを端末装置で作成保管するようにし、端末装置がオンラインモード作動指示を発行してオンラインモードを開始して集中ファイル部へ情報を送る際に、この一覧リストを参照して必要な情報タグだけを選択的にアクセスするように構成するから、アクセス対象の情報タグを必要最小限にできて時間短縮でき、また重複発生を排除することができる。よって転記効率が向上するとともに、重複記録の発生を避けて情報の信頼性を向上させることができる。さらにオンラインモードの開始を端末装置により制御することで、情報タグへの記録状況の観点から最良のタイミングで集中ファイルを効果的に更新できる。
【０１５９】
本発明の請求項２の情報管理システムは、オフライン時に更新記録または新規記録を施した情報タグを特定する一覧リストを端末装置で作成保管するようにし、集中ファイル部がオンラインモード作動指示を発行してオンラインモードを開始し、端末装置が集中ファイル部へ情報を送る際に、この一覧リストを参照して必要な情報タグだけを選択的にアクセスするように構成するから、アクセス対象の情報タグを必要最小限にできて時間短縮でき、また重複発生を排除することができる。よって転記効率が向上するとともに、重複記録の発生を避けて情報の信頼性を向上させることができる。さらにオンラインモードの開始を集中ファイル部により制御することで、回線状況から最良のタイミングで集中ファイルを効果的に更新できる。
【０１６６】
本発明の請求項３の情報管理方法は、オフライン時に更新記録または新規記録を施した情報タグを特定する一覧リストを端末装置で作成保管するようにし、端末装置がオンラインモード作動指示を発行してオンラインモードを開始して集中ファイル部へ情報を送る際に、この一覧リストを参照して必要な情報タグだけを選択的にアクセスするように構成するから、アクセス対象の情報タグを必要最小限にできて時間短縮でき、また重複発生を排除することができる。よって転記効率が向上するとともに、重複記録の発生を避けて情報の信頼性を向上させることができる。さらにオンラインモードの開始を端末装置により制御することで、情報タグへの記録状況の観点から最良のタイミングで集中ファイルを効果的に更新できる。
【０１６７】
本発明の請求項４の情報管理方法は、オフライン時に更新記録または新規記録を施した情報タグを特定する一覧リストを端末装置で作成保管するようにし、集中ファイル部がオンラインモード作動指示を発行してオンラインモードを開始し、端末装置が集中ファイル部へ情報を送る際に、この一覧リストを参照して必要な情報タグだけを選択的にアクセスするように構成するから、アクセス対象の情報タグを必要最小限にできて時間短縮でき、また重複発生を排除することができる。よって転記効率が向上するとともに、重複記録の発生を避けて情報の信頼性を向上させることができる。さらにオンラインモードの開始を集中ファイル部により制御することで、回線状況から最良のタイミングで集中ファイルを効果的に更新できる。
【図面の簡単な説明】
【図１】本発明に係る情報管理システムの一実施形態のブロック構成図である。
【図２】ワンチップ構成で実現された情報タグの外観図である。
【図３】図１に示される情報管理システムの構成部分である情報タグとリーダライタ部のブロック構成図である。
【図４】誘導結合４端子網による説明図である。
【図５】図４に示される誘導結合４端子網の等価回路である。
【図６】図１に示される情報管理システムの端末装置の動作フローチャートである。
【図７】本発明に係る情報管理システムの他の実施形態のブロック構成図である。
【図８】図７に示される情報管理システムの集中ファイル部の動作フローチャートである。
【図９】本発明に係る情報管理システムの他の実施形態のブロック構成図である。
【図１０】図９に示される情報管理システムの端末装置の動作フローチャートである。
【図１１】本発明に係る情報管理システムの他の実施形態のブロック構成図である。
【図１２】図１１に示される情報管理システムの構成部分である情報タグとリーダライタ部のブロック構成図である。
【図１３】図１１に示される情報管理システムの端末装置の動作フローチャートである。
【図１４】本発明に係る情報管理システムの別の実施形態の構成部分である情報タグとリーダライタ部のブロック構成図である。
【図１５】本発明に係る情報管理システムの別の実施形態の端末装置の動作フローチャートである。
【図１６】バーコードによる従来の情報管理システムの例のブロック図である。
【図１７】ＩＣタグによる従来の情報管理システムの例のブロック図である。
【符号の説明】
Ｉｍｓ１……情報管理システム、ＴＦ……情報タグ、Ｍａｔ……物品、Ｍｅｍ……記憶手段、ｉｓｊ１……第１種別情報、ｉｓｊ２……第２種別情報、Ｔｎｒ……端末装置、ＲＷ……リーダライタ部、Ｃｔｒ１１……制御手段、Ｍｃｃ……交信管理手段、Ｍоｌ……オンラインモード作動指示手段、Ｉｐｔ……入力手段、Ｎｅｔ……回線、Ｆｌｅ……集中ファイル部、Ｃｔｒ１２……制御手段、Ｈｄ……記録手段
【図１】
0004193088.tif 000002
【図２】
0004193088.tif 000003
【図３】
0004193088.tif 000004
【図４】
0004193088.tif 000005
【図５】
0004193088.tif 000006
【図６】
0004193088.tif 000007
【図７】
0004193088.tif 000008
【図８】
0004193088.tif 000009
【図９】
0004193088.tif 000010
【図１０】
0004193088.tif 000011
【図１１】
0004193088.tif 000012
【図１２】
0004193088.tif 000013
【図１３】
0004193088.tif 000014
【図１４】
0004193088.tif 000015
【図１５】
0004193088.tif 000016
【図１６】
0004193088.tif 000017
【図１７】
0004193088.tif 000018